(57)【特許請求の範囲】
【請求項１】
移動体通信システムにおいて無線基地局によって制御されるセル内のユーザ機器をページングするための方法であって、少なくとも１つの定期的に発生するカバレッジ拡張（ＣＥ）固有ページング見込み（ＣＥ−ｓｐｅｃｉｆｉｃ  ｐａｇｉｎｇ  ｐｏｓｓｉｂｉｌｉｔｙ）が、カバレッジ拡張ユーザ機器（ＣＥユーザ機器）をページングするために定義され、前記無線基地局が、前記ＣＥユーザ機器のためにカバレッジ拡張を達成するための複数の技術のうちの１つを使用する能力を有し、
前記セル内の前記ＣＥユーザ機器により、前記少なくとも１つのＣＥ固有ページング見込みを定期的に監視するステップと、
前記無線基地局により、前記セル内の前記ユーザ機器をページングすると決定するステップと、
前記無線基地局により、前記セル内の前記ＣＥユーザ機器を、前記ＣＥ固有ページング見込みで、前記カバレッジ拡張を達成するための前記複数の技術のうちの１つを使用して、ページングするステップと、を含み、
前記方法はさらに、
前記ユーザ機器により、前記無線基地局から受信した閾値に基づき自身のカバレッジ拡張の要否を判定するステップと、
前記ユーザ機器がＲＲＣ  ＩＤＬＥ状態である場合に、前記ユーザ機器が前記判定した自身のカバレッジ拡張要否を、ＭＭＥ（Ｍｏｂｉｌｉｔｙ  Ｍａｎａｇｅｍｅｎｔ  Ｅｎｔｉｔｙ）に通知するステップと、を含み、
前記無線基地局により、前記セル内の前記ＣＥユーザ機器を、前記ＣＥ固有ページング見込みで、前記カバレッジ拡張を達成するための前記複数の技術のうちの１つを使用して、ページングするステップは、前記ＭＭＥから前記無線基地局に対して通知された前記ＣＥユーザ機器のカバレッジ拡張要否に基づいて、前記ページングを繰り返し送信する繰り返し回数を決定する、を含む、方法。
【請求項２】
前記無線基地局の前記セル内の特定のユーザ機器をページングするために複数のＵＥ固有ページング見込みが定義され、前記ＣＥユーザ機器および非ＣＥユーザ機器の各々が、前記複数のＵＥ固有ページング見込みの中からそれぞれのＵＥ固有ページング見込みを監視し、
前記無線基地局が、前記セル内の前記ユーザ機器をページングすると決定したとき、前記複数のＵＥ固有ページング見込みにおいて、カバレッジ拡張を達成するための前記複数の技術のうちの１つを使用することなく、追加でページングを実行し、
好ましくは、前記複数のＵＥ固有ページング見込みの各々が、前記少なくとも１つのＣＥ固有ページング見込みとは異なる、請求項１に記載の方法。
【請求項３】
前記無線基地局により、前記少なくとも１つのＣＥ固有ページング見込みによって指定される制御チャネルの無線リソースで、第１のページング通知を送信するステップと、
前記無線基地局により、前記第１のページング通知によって指定される別のチャネルの無線リソースで、第２のページングメッセージを送信するステップと
を含み、
好ましくは、前記カバレッジ拡張を達成するための前記技術が、前記第１のページング通知を送信するステップおよび前記第２のページングメッセージを送信するステップの両方に適用される、請求項１または２に記載の方法。
【請求項４】
前記少なくとも１つのＣＥ固有ページング見込みの各々が、前記ＣＥ固有ページング見込みに対して固定されるように事前構成される無線フレーム番号およびサブフレーム番号によって定義される制御チャネルの無線リソースを参照し、
好ましくは、前記事前構成される無線フレーム番号および前記事前構成されるサブフレーム番号を決定するための情報が、前記ＣＥユーザ機器のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ：万国加入者同定モジュール）に記憶されるか、または前記セル内の前記無線基地局によってブロードキャストされ、
好ましくは、前記事前構成されるサブフレーム番号が、１、２、３、６、７、または８である、請求項１〜３のいずれか一項に記載の方法。
【請求項５】
ＣＥユーザ機器が、前記無線基地局および前記ＣＥユーザ機器が前記ＣＥ固有ページング見込みを計算する基となるＣＥ固有ユーザ機器識別情報を割り当てられ、
好ましくは、前記ＣＥ固有ユーザ機器識別情報が、ＣＥ構成されたユーザ機器で同一であり、
好ましくは、前記ＣＥ固有ユーザ機器識別情報が、前記ＣＥユーザ機器のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）に記憶されるか、または前記セル内の前記無線基地局によってブロードキャストされ、
好ましくは、複数の異なるレベルのカバレッジ拡張が定義され、各レベルのカバレッジ拡張に対して異なるＣＥ固有ユーザ機器識別情報が定義される、請求項１〜３のいずれか一項に記載の方法。
【請求項６】
移動体通信システムにおいて無線基地局によって制御されるセル内に位置し、カバレッジ拡張を必要とするユーザ機器、略言すればＣＥユーザ機器であって、少なくとも１つの定期的に発生するカバレッジ拡張（ＣＥ）固有ページング見込み（ＣＥ−ｓｐｅｃｉｆｉｃ  ｐａｇｉｎｇ  ｐｏｓｓｉｂｉｌｉｔｙ）が、前記ＣＥユーザ機器に対して定義され、前記無線基地局が、前記ＣＥユーザ機器のためにカバレッジ拡張を達成するための複数の技術のうちの１つを使用する能力を有し、
前記少なくとも１つのＣＥ固有ページング見込みを定期的に監視するように構成されるプロセッサと、
前記無線基地局からのページングを、前記ＣＥ固有ページング見込みで、前記カバレッジ拡張を達成するための前記複数の技術のうちの１つを使用して受信するように構成される受信部と、を備え、
前記プロセッサは、前記無線基地局から受信した閾値に基づき自身のカバレッジ拡張要否を判定し、
前記ユーザ機器がＲＲＣ  ＩＤＬＥ状態である場合に、前記ユーザ機器が決定した自身のカバレッジ拡張要否を、ＭＭＥ（Ｍｏｂｉｌｉｔｙ  Ｍａｎａｇｅｍｅｎｔ  Ｅｎｔｉｔｙ）に通知する送信部と、をさらに備え、
前記無線基地局からのページングを受信する前記受信部は、前記ＭＭＥから前記無線基地局に対して通知された前記ＣＥユーザ機器のカバレッジ拡張要否に基づいて決定される繰り返し回数により、前記ページングを受信する、ユーザ機器。
【請求項７】
前記少なくとも１つのＣＥ固有ページング見込みの各々が、前記ＣＥ固有ページング見込みに対して固定されるように事前構成される無線フレーム番号およびサブフレーム番号によって定義される制御チャネルの無線リソースを参照し、
好ましくは、前記ＣＥユーザ機器のメモリが、前記事前構成される無線フレーム番号および前記事前構成されるサブフレーム番号を決定するための情報を記憶するように構成され、好ましくは、前記メモリが、前記ＣＥユーザ機器のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）である、または、
好ましくは、前記ＣＥユーザ機器の受信機が、前記セル内の前記無線基地局によってブロードキャストされる、前記事前構成される無線フレーム番号および前記事前構成されるサブフレーム番号を決定するための情報を受信するようにさらに構成される、請求項６に記載のユーザ機器。
【請求項８】
移動体通信システムにおいて自身が制御するセル内のユーザ機器をページングするための無線基地局であって、少なくとも１つの定期的に発生するカバレッジ拡張（ＣＥ）固有ページング見込み（ＣＥ−ｓｐｅｃｉｆｉｃ  ｐａｇｉｎｇ  ｐｏｓｓｉｂｉｌｉｔｙ）が、カバレッジ拡張（ＣＥ）ユーザ機器をページングするために定義され、前記無線基地局が、前記ＣＥユーザ機器のためにカバレッジ拡張を達成するための複数の技術のうちの１つを使用する能力を有し、
前記セル内の前記ユーザ機器をページングするかどうかを判断するように構成されるプロセッサと、
前記セル内の前記ＣＥユーザ機器を、前記ＣＥ固有ページング見込みで、前記カバレッジ拡張を達成するための前記複数の技術のうちの１つを使用して、ページングするように構成される送信部と、を備え、
前記送信部は、前記ユーザ機器に対し、前記ユーザ機器が自身のカバレッジ拡張要否を判定するための閾値を送信し、
ＭＭＥ（Ｍｏｂｉｌｉｔｙ  Ｍａｎａｇｅｍｅｎｔ  Ｅｎｔｉｔｙ）から、前記ユーザ機器がＲＲＣ  ＩＤＬＥ状態である場合に、前記ユーザ機器が判定した自身のカバレッジ拡張要否を受信する受信部、をさらに備え、
前記セル内の前記ＣＥユーザ機器を、前記ＣＥ固有ページング見込みで、前記カバレッジ拡張を達成するための前記複数の技術のうちの１つを使用して、ページングする場合に、前記プロセッサは、前記ＭＭＥから前記無線基地局に対して通知された前記ＣＥユーザ機器のカバレッジ拡張要否に基づいて、前記ページングを繰り返し送信する繰り返し回数を決定する、無線基地局。
【発明の詳細な説明】
【技術分野】
【０００１】
本開示は、ユーザ機器が確実にページングされるようにカバレッジ拡張を必要とする、無線基地局のセル内にある１つ以上のユーザ機器をページングするための方法に関する。本開示では、本明細書に記述する方法に関連するユーザ機器および無線基地局についても規定している。
【背景技術】
【０００２】
ＬＴＥ（Ｌｏｎｇ  Ｔｅｒｍ  Ｅｖｏｌｕｔｉｏｎ）
ＷＣＤＭＡ無線アクセス技術に基づく３Ｇ（Ｔｈｉｒｄ−ｇｅｎｅｒａｔｉｏｎ  ｍｏｂｉｌｅ  ｓｙｓｔｅｍｓ：第３世代移動通信システム）は、全世界で広く展開されている。この技術を高度化または進化させるには、ＨＳＤＰＡ（Ｈｉｇｈ−Ｓｐｅｅｄ  Ｄｏｗｎｌｉｎｋ  Ｐａｃｋｅｔ  Ａｃｃｅｓｓ）、およびＥｎｈａｎｃｅｄ  Ｕｐｌｉｎｋ（別名、ＨＳＵＰＡ（Ｈｉｇｈ−Ｓｐｅｅｄ  Ｕｐｌｉｎｋ  Ｐａｃｋｅｔ  Ａｃｃｅｓｓ））の導入がまず必要となる。これにより、高い競争力を持つ無線アクセス技術が実現される。
【０００３】
高まりゆくユーザの需要に備え、競合する新たな各種無線アクセス技術に対抗するために、３ＧＰＰは、ＬＴＥ（Ｌｏｎｇ  Ｔｅｒｍ  Ｅｖｏｌｕｔｉｏｎ）と呼ばれる新たな移動体通信システムを導入した。ＬＴＥは、データおよびメディアの高速転送のほか、今後１０年間を見据えた大容量音声サポートに対する電気通信事業者のニーズを満たすように設計されている。高ビットレートを実現できるかどうかがＬＴＥの鍵となる。
【０００４】
Ｅｖｏｌｖｅｄ  ＵＴＲＡ（ＵＭＴＳ  Ｔｅｒｒｅｓｔｒｉａｌ  Ｒａｄｉｏ  Ａｃｃｅｓｓ）およびＥｖｏｌｖｅｄ  ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）と称されるＬＴＥ（Ｌｏｎｇ−Ｔｅｒｍ  Ｅｖｏｌｕｔｉｏｎ）のＷＩ（ワークアイテム）の仕様は、Ｒｅｌｅａｓｅ  ８（ＬＴＥ  Ｒｅｌ．８）として確定されている。ＬＴＥシステムとは、遅延が少なく低コストなフルＩＰベースの機能を提供する、効率的なパケットベースの無線アクセスおよび無線アクセスネットワークであるといえる。ＬＴＥでは、所与の周波数帯域を用いた柔軟なシステム展開を達成するために、１．４、３．０、５．０、１０．０、１５．０、および２０．０ＭＨｚなど、スケーラブルな複数の伝送帯域幅が指定される。ダウンリンクでは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）ベースの無線アクセスが採用されていた。これは、シンボルレートが低く、ＣＰ（サイクリックプレフィックス）が使用されており、さまざまな伝送帯域幅の構成に親和性があることから、ＯＦＤＭには本来的にＭＰＩ（マルチパス干渉）への耐性が備わっているためである。アップリンクには、ＳＣ−ＦＤＭＡ（Ｓｉｎｇｌｅ−ｃａｒｒｉｅｒ  ｆｒｅｑｕｅｎｃｙ  ｄｉｖｉｓｉｏｎ  ｍｕｌｔｉｐｌｅ  ａｃｃｅｓｓ：シングルキャリア周波数分割多元接続）ベースの無線アクセスが採用された。ＵＥ（ユーザ機器）の送信電力には制限があることを考慮すると、ピークデータレートの向上よりも、広域なカバレッジのプロビジョニングが優先されたからである。ＬＴＥ  Ｒｅｌ．８／９では、ＭＩＭＯ（多入力多出力）チャネル伝送技術を含む多数の重要なパケット無線アクセス技術が採用されており、効率性の高い制御シグナリング構造が達成されている。
【０００５】
ＬＴＥアーキテクチャ
ＬＴＥアーキテクチャの全体像を図１に示し、図２にはＥ−ＵＴＲＡＮアーキテクチャをより詳細に描写した。Ｅ−ＵＴＲＡＮにはｅＮｏｄｅＢが含まれ、これがＵＥ（ユーザ機器）に対し、Ｅ−ＵＴＲＡのユーザプレーン（ＰＤＣＰ／ＲＬＣ／ＭＡＣ／ＰＨＹ）プロトコル終端および制御プレーン（ＲＲＣ）プロトコル終端を提供する。ｅＮｏｄｅＢ（ｅＮＢ）は、ＰＨＹ（Ｐｈｙｓｉｃａｌ：物理）層、ＭＡＣ（Ｍｅｄｉｕｍ  Ａｃｃｅｓｓ  Ｃｏｎｔｒｏｌ：メディアアクセス制御）層、ＲＬＣ（Ｒａｄｉｏ  Ｌｉｎｋ  Ｃｏｎｔｒｏｌ：無線リンク制御）層、およびＰＤＣＰ（Ｐａｃｋｅｔ  Ｄａｔａ  Ｃｏｎｔｒｏｌ  Ｐｒｏｔｏｃｏｌ：パケットデータ制御プロトコル）層をホストする。これらのレイヤには、ユーザプレーンのヘッダ圧縮および暗号化機能が含まれる。ｅＮｏｄｅＢはまた、制御プレーンに対応するＲＲＣ（Ｒａｄｉｏ  Ｒｅｓｏｕｒｃｅ  Ｃｏｎｔｒｏｌ：無線リソース制御）機能も提供する。ＲＲＣ機能は、無線リソース管理、受付制御、スケジューリング、ネゴシエートされたアップリンクＱｏＳ（Ｑｕａｌｉｔｙ  ｏｆ  Ｓｅｒｖｉｃｅ：サービス品質）の実施、セル情報のブロードキャスト、ユーザプレーンおよび制御プレーンのデータに対する暗号化／復号、およびダウンリンク／アップリンクのユーザプレーンパケットヘッダの圧縮／解凍を含む、多数の機能を実行する。ｅＮｏｄｅＢ同士は、Ｘ２インターフェースによって相互接続される。
【０００６】
ｅＮｏｄｅＢは、Ｓ１インターフェースにより、ＥＰＣ（Ｅｖｏｌｖｅｄ  Ｐａｃｋｅｔ  Ｃｏｒｅ）にも接続される。より具体的にいえば、ＭＭＥ（Ｍｏｂｉｌｉｔｙ  Ｍａｎａｇｅｍｅｎｔ  Ｅｎｔｉｔｙ：モビリティ管理エンティティ）にはＳ１−ＭＭＥによって接続され、ＳＧＷ（Ｓｅｒｖｉｎｇ  Ｇａｔｅｗａｙ）にはＳ１−Ｕによって接続される。このＳ１インターフェースが、ＭＭＥ／Ｓｅｒｖｉｎｇ  ＧａｔｅｗａｙとｅＮｏｄｅＢの間における、多対多の関係をサポートする。ＳＧＷは、ユーザデータパケットのルーティングおよびフォワーディングを行うと同時に、ｅＮｏｄｅＢ間ハンドオーバ中のユーザプレーン用モビリティアンカとして、また、ＬＴＥと他の３ＧＰＰ技術の間のモビリティ用アンカ（Ｓ４インターフェースの終端となり、２Ｇ／３ＧシステムとＰＤＮ  ＧＷの間でトラフィックをリレーする）として動作する。アイドル状態のユーザ機器に対して、ＳＧＷは、ダウンリンクデータパスを終端させ、同ユーザ機器に向けたダウンリンクデータの着信時にページングのトリガを行う。ＳＧＷは、ユーザ機器コンテキスト（たとえば、ＩＰベアラサービスに関する各種パラメータ、ネットワークの内部ルーティング情報、など）の管理と記憶を行う。また、合法的傍受を行う場合は、ユーザトラフィックの複製も実行する。
【０００７】
ＭＭＥは、ＬＴＥアクセスネットワークの鍵となる制御ノードである。ＭＭＥは、アイドルモードのユーザ機器に関する追跡およびページング手順を担っており、この手順には再送信が含まれる。ＭＭＥは、ベアラのアクティブ化／非アクティブ化処理に関与するほか、初期アタッチ時、およびＣＮ（Ｃｏｒｅ  Ｎｅｔｗｏｒｋ）ノードの再配置を伴うＬＴＥ内ハンドオーバ時における、ユーザ機器のＳＧＷ選択も担当する。ＭＭＥは、（ＨＳＳとの対話による）ユーザ認証を担う。ＮＡＳ（Ｎｏｎ−Ａｃｃｅｓｓ  Ｓｔｒａｔｕｍ：非アクセス層）シグナリングはＭＭＥで終端しており、ＭＭＥは、ユーザ機器に対する一時的な識別情報の生成と割り当ても担当する。ＭＭＥは、サービスプロバイダのＰＬＭＮ（Ｐｕｂｌｉｃ  Ｌａｎｄ  Ｍｏｂｉｌｅ  Ｎｅｔｗｏｒｋ：公衆地上移動通信ネットワーク）にキャンプオンするためのユーザ機器の権限をチェックし、ユーザ機器のローミング制限を実施する。ＭＭＥは、ＮＡＳシグナリングの暗号化／完全性保護に関するネットワーク内終端点であり、セキュリティ鍵の管理を行う。シグナリングの合法的傍受も、ＭＭＥによってサポートされる。また、ＭＭＥは、自身において終端するＳＧＳＮからのＳ３インターフェースを用いて、ＬＴＥと２Ｇ／３Ｇアクセスネットワークの間のモビリティに関する制御プレーン機能を提供する。さらに、ＭＭＥは、ユーザ機器をローミングするためのホームＨＳＳに向かうＳ６ａインターフェースの終端となる。
【０００８】
ＬＴＥ  ＲＲＣ状態
ＬＴＥは、「ＲＲＣ＿ＩＤＬＥ」および「ＲＲＣ＿ＣＯＮＮＥＣＴＥＤ」という、２つの基本状態のみに基づくものである。
【０００９】
ＲＲＣ＿ＩＤＬＥ状態では無線が無効となるものの、コアネットワークによってＩＤが割り当てられ、追跡される。より具体的にいえば、ＲＲＣ＿ＩＤＬＥ状態の移動端末は、セルの選択および再選択を実行する（換言すれば、キャンプオンするセルを決定する）。セルの（再）選択処理では、適用可能な各ＲＡＴ（Ｒａｄｉｏ  Ａｃｃｅｓｓ  Ｔｅｃｈｎｏｌｏｇｙ）が持つ適用可能な各周波数の優先度、無線リンク品質、およびセルステータス（すなわち、セルが閉鎖または予約されているかどうか）が考慮される。ＲＲＣ＿ＩＤＬＥ状態の移動端末は、着呼を検知するためにページングチャネルを監視し、システム情報の取得も行う。システム情報は、ネットワーク（Ｅ−ＵＴＲＡＮ）が使用するパラメータによって主に構成される。ネットワークはこのパラメータを用いることにより、セルの（再）選択処理や、自身に対する移動端末のアクセス方法を制御することが可能となる。ＲＲＣは、ＲＲＣ＿ＩＤＬＥ状態の移動端末に対して適用可能な制御シグナリング（すなわち、ページング）、およびシステム情報を指定する。ＲＲＣ＿ＩＤＬＥ状態の移動端末の挙動については、たとえば、ＴＳ  ３６．３０４（現在のバージョンは１２．０．０、非特許文献１）、ｃｈａｐｔｅｒ  ４「Ｇｅｎｅｒａｌ  ｄｅｓｃｒｉｐｔｉｏｎ  ｏｆ  Ｉｄｌｅ  ｍｏｄｅ」において、より詳細に指定されている。同文献は、参照により本明細書に組み込まれる。
【００１０】
ＲＲＣ＿ＣＯＮＮＥＣＴＥＤ状態の移動端末は、ｅＮｏｄｅＢ内のコンテキストを用いた、アクティブな無線操作を行う。Ｅ−ＵＴＲＡＮは、共有のデータチャネルを介した（ユニキャスト）データの転送を円滑化するために、無線リソースを移動端末に割り当てる。この操作をサポートするために、移動端末は、時間と周波数の面で共有となる伝送リソースの動的割り当てを示すのに用いる、関連する制御チャネルを監視する。移動端末は、自身のバッファステータスに関する報告、およびダウンリンクチャネル品質に関する報告、ならびに、Ｅ−ＵＴＲＡＮを有効化して自身に最適のセルを選択するための隣接セル測定情報を、ネットワークに提供する。これらの測定報告には、他の周波数またはＲＡＴを使用中のセルが含まれる。ＵＥは、主に伝送チャネルの使用に必要な情報から成る、システム情報の受信も行う。バッテリ寿命を延ばすために、ＲＲＣ＿ＣＯＮＮＥＣＴＥＤ状態のＵＥは、ＤＲＸ（Ｄｉｓｃｏｎｔｉｎｕｏｕｓ  Ｒｅｃｅｐｔｉｏｎ：不連続受信）サイクルを用いて構成することができる。ＲＲＣは、Ｅ−ＵＴＲＡＮがＲＲＣ＿ＣＯＮＮＥＣＴＥＤ状態のＵＥ挙動を制御するのに用いるプロトコルである。
【００１１】
Ｃｏｎｎｅｃｔｅｄ  Ｍｏｄｅ（接続モード）に関連し、これを含むＲＲＣプロトコルにおける移動端末の種々の機能については、３ＧＰＰ  ＴＳ  ３６．３３１（現在のバージョンは１２．４．１、非特許文献２）、ｃｈａｐｔｅｒ  ４「Ｆｕｎｃｔｉｏｎｓ」において説明されている。同文献は、参照により本明細書に組み込まれる。
【００１２】
ページング
本出願では、ページングを２タイプに区別する。すなわち、ＮＡＳ（非アクセス層）から開始されるページング（以下、例示的に「Ｐａｇｉｎｇ−ＮＡＳ」と呼ぶ）と、ｅＮｏｄｅＢから開始されるページング（以下、例示的に「Ｐａｇｉｎｇ−ｅＮＢ」と呼ぶ）とである。Ｐａｇｉｎｇ−ＮＡＳは、たとえば、ＭＴ（モバイル終端）呼などの着信データ接続を用いて接続中のＵＥのページングなど、特定のＵＥのページングに関連する。一方、Ｐａｇｉｎｇ−ｅＮＢは、セル内のすべてのＵＥのページングに関連するものであり、たとえば、これらのＵＥに対し、システム情報の変更、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）メッセージ、ＣＭＡＳ（Ｃｏｍｍｅｒｃｉａｌ  Ｍｏｂｉｌｅ  Ａｌｅｒｔ  Ｓｙｓｔｅｍ）メッセージ、などを通知するのに使用される。さらに、ＵＥがＲＲＣアイドル状態かＲＲＣ接続状態かに応じて、そのＵＥへの実際のページングメッセージは別様に送信される。とはいえ、２つのページング手順には共通点も多い。
【００１３】
一般に、ＲＲＣ＿Ｉｄｌｅ状態のＵＥは、着呼、システム情報の変更、ＥＴＷＳ対応ＵＥであればＥＴＷＳ通知、ＣＭＡＳ対応ＵＥであればＣＭＡＳ通知を検知するために、ページングを監視する。ＲＲＣ＿Ｃｏｎｎｅｃｔｅｄ状態のＵＥは、システム情報の変更、ＥＴＷＳ対応ＵＥであればＥＴＷＳ通知、ＣＭＡＳ対応ＵＥであればＣＭＡＳ通知を検知するために、ページングおよび／またはシステム情報ブロックタイプ１の内容を監視する（３ＧＰＰ  ＴＳ  ３６．３３１（現在のバージョンはｖ１２．４．１）、４．２．１項を参照されたい。同文献は、参照により本明細書に組み込まれる）。ＥＵＴＲＡＮからＵＥへとページングメッセージを送信するための通常のページング手順については、ＴＳ  ３６．３３１（現在のバージョンは１２．４．１）、５．３．２項において定義されており、同文献は、参照により本明細書に組み込まれる。なお、同文献では、ページング手順の目的を、以下のように記述している。
【００１４】
−  ページング情報をＲＲＣ＿ＩＤＬＥ状態のＵＥに送信するため（Ｐａｇｉｎｇ−ＮＡＳ）。
−  ＲＲＣ＿ＩＤＬＥ状態のＵＥおよびＲＲＣ＿ＣＯＮＮＥＣＴＥＤ状態のＵＥにシステム情報の変更を通知するため（Ｐａｇｉｎｇ−ｅＮＢ）。
−  ＥＴＷＳプライマリ通知および／またはＥＴＷＳセカンダリ通知を伝えるため（Ｐａｇｉｎｇ−ｅＮＢ）。
−  ＣＭＡＳ通知を伝えるため（Ｐａｇｉｎｇ−ｅＮＢ）。
【００１５】
ＵＥにおいて受信されたページング情報は、着呼の受信（初期ＲＲＣ接続の確立となり得る）に応答して、上位レイヤに提供される。
【００１６】
Ｅ−ＵＴＲＡＮは、ＴＳ  ３６．３０４で指定されるように、ＵＥのページング機会（ｐａｇｉｎｇ  ｏｃｃａｓｉｏｎ）にページングメッセージを送信することにより、ページング手順を実行する。Ｅ−ＵＴＲＡＮは、ページングメッセージに含まれる複数のＵＥを、各ＵＥについて１つのＰａｇｉｎｇＲｅｃｏｒｄ（ページングレコード）を含み入れることにより呼び出すことができる。
【００１７】
Ｅ−ＵＴＲＡＮからのページングメッセージを受信するために、アイドルモードのＵＥは、ページングを示すのに用いるＲＮＴＩ値についてＰＤＣＣＨチャネルを監視する。この値は共通のＲＮＴＩであるＰ−ＲＮＴＩ（Ｐａｇｉｎｇ  ｒａｄｉｏ  ｎｅｔｗｏｒｋ  ｔｅｍｐｏｒａｒｙ  ｉｄｅｎｔｉｔｙ）であって、いずれかのＵＥに明示的に割り当てられるものではない。ＵＥは、特定のＵＥ固有ページング見込み（ＵＥ−Ｓｐｅｃｉｆｉｃ  Ｐａｇｉｎｇ  Ｐｏｓｓｉｂｉｌｉｔｉｅｓ）で（すなわち、以下でより詳細に論じるような特定の無線フレーム内の特定のサブフレームで）、ＰＤＣＣＨチャネルを監視するだけでよい。Ｅ−ＵＴＲＡＮは、自身のセル内でのページングに向け、どの無線フレームおよびサブフレームが使用可能であるかについて構成を行う。各セルがデフォルトページングサイクルＴｃをブロードキャストすることに加え、上位レイヤは、専用のシグナリングを用いて、ＵＥ固有ページングサイクルＴＵＥを構成することができる。この両方が構成された場合、ＵＥは、その最低値を自身のＤＲＸサイクルＴに適用する。
【００１８】
現在ＬＴＥ−Ａ向けに定義されているページングのための手順を説明するために、以下、例示的なケースＡ、ケースＢ、およびケースＣを設定する。これらのケースは、書籍「ＬＴＥ  −  Ｔｈｅ  ＵＭＴＳ  Ｌｏｎｇ  Ｔｅｒｍ  Ｅｖｏｌｕｔｉｏｎ  −  Ｆｒｏｍ  Ｔｈｅｏｒｙ  ｔｏ  Ｐｒａｃｔｉｃｅ」（Ｓｅｃｏｎｄ  Ｅｄｉｔｉｏｎ、Ｅｄｉｔｅｄ  ｂｙ：Ｓｔｅｆａｎｉａ  Ｓｅｓｉａ、Ｉｓｓａｍ  Ｔｏｕｆｉｋ、Ｍａｔｔｈｅｗ  Ｂａｋｅｒ、ＩＳＢＮ  ９７８０４７０６６０２５６）のｓｅｃｔｉｏｎ  ３．４から引用したものである（非特許文献３）。
【００１９】
【表１】
0006650454.tif 000002
【００２０】
前記の表では、以下のパラメータが使用されている。
−  「ＴＣ」。セル固有のデフォルトページングサイクル。３２、６４、１２８、または２５６個の無線フレームとなり得る。
−  「ＴＵＥ」。ＵＥが持つＵＥ固有のデフォルトページングサイクル。３２、６４、１２８、または２５６個の無線フレームとなり得る。
−  「Ｎ」。ＵＥが持つページングサイクル内のページングフレーム数。ｍｉｎ（Ｔ，ｎＢ）。
−  「Ｎｓ」。ページングに使用可能な無線フレーム内のページングサブフレーム数。ｍａｘ（１，ｎＢ／Ｔ）。
【００２１】
−  「ｎＢ」。（セル内のＵＥ全体にわたる）ページングサイクルあたりのページングサブフレーム数。４Ｔ、２Ｔ、Ｔ、Ｔ／２、Ｔ／４、Ｔ／８、Ｔ／１６、Ｔ／３２となり得る。このパラメータが、セル内のＵＥ全体にわたるｅＮＢのページング能力を大きく左右する。一般に、ｎＢがＴ以上に設定されれば、すべての無線フレームをページングに使用することが可能であり（パラメータＮも参照されたい）、ＰＦあたりｎＢ／Ｔ回のＰＯが存在する（パラメータＮｓも参照されたい）。ｎＢがＴを下回れば、分数ｎＢ／Ｔという無線フレームだけがページングに使用可能であり（パラメータＮも参照されたい）、ＰＦあたりのＰＯは１回となる（パラメータＮｓも参照されたい）。
【００２２】
−  「Ｔ」。ＵＥのＤＲＸサイクル（ページングサイクルともいえる）。ＴＣとＴＵＥの最小値となり、ＵＥがページングを監視する頻度を指定する。ＤＲＸサイクルが短くなればページングの時間も短縮されるが、バッテリ消費は上昇する。
【００２３】
たとえば、ケースＡおよびケースＢの場合、Ｅ−ＵＴＲＡＮは、４個の無線フレームに対して１個の無線フレーム、さらにいえば、それらの各無線フレーム内の１個のサブフレームが、ページングに使用されるように構成されている（それぞれＴ、Ｎｓを参照されたい）。ケースＣの場合、各無線フレーム内にはページングに使用可能なサブフレームが２個存在し（すなわち、Ｎｓ＝２）、セル内のＵＥのページングに利用可能な、ＵＥのページングサイクル内のページングフレームは１２８個である（すなわち、Ｎ＝１２８）。また、ケースＢの場合、ＵＥのページングサイクル内のページングフレームは３２個である（Ｎ＝３２）。ｅＮＢによって構成されるページングのための機会は全体として利用可能なものであるが、ＵＥをページングするためのページング見込みには、ＵＥ識別情報に基づくばらつきが存在する。
【００２４】
上記に関連して、特定のＵＥをページングするのに使用される特定の無線フレームおよびサブフレームは、以下のように計算される。ＰＯ（Ｐａｇｉｎｇ  Ｏｃｃａｓｉｏｎ：ページング機会）は、ページングメッセージを扱うＰＤＣＣＨ上で送信されたＰ−ＲＮＴＩ（Ｐａｇｉｎｇ  ｒａｄｉｏ  ｎｅｔｗｏｒｋ  ｔｅｍｐｏｒａｒｙ  ｉｄｅｎｔｉｔｙ）が存在し得るサブフレームである。ＰＦ（Ｐａｇｉｎｇ  Ｆｒａｍｅ：ページングフレーム）は、１回以上のページング機会を含み得る無線フレームである。本出願の文脈では、ページング見込みという用語は、ページングフレームとページングサブフレームの組み合わせを指すものとする。
【００２５】
ページングフレームおよびページング機会については、たとえば、３ＧＰＰ  ＴＳ  ３６．３０４（現在のバージョンは１２．０．０）、７項において定義されており、同文献は参照により本明細書に組み込まれる。同文献に従い、ＳＦＮ（ページングフレーム番号）を下式により計算する。
ＳＦＮ  ｍｏｄ  Ｔ  ＝  （Ｔ  ｄｉｖ  Ｎ）＊（ＵＥ＿ＩＤ  ｍｏｄ  Ｎ）
上式において、ＵＥ＿ＩＤはＩＭＳＩ  ｍｏｄ  １０２４である。
【００２６】
ケースＡ、Ｂ、およびＣの３つの場合に対してＵＥ＿ＩＤを１４７であると仮定すると、上式の計算の結果は、ケースＡおよびケースＢでは７６個のページングフレームとなり、ケースＣでは１９個のページングフレームとなる。また、ｉ＿ｓはケースＡおよびケースＢでは０、ケースＣでは１と計算される。
【００２７】
ＬＴＥでは１つの無線フレーム内に１０個のサブフレームが存在するように、ページング機会は［０、１、…、９］という範囲の値を持つ。ページング機会番号は、下式によって計算されたパラメータＮｓおよびｉ＿ｓに基づき、事前構成された表から選択される。
ｉ＿ｓ  ＝  ｆｌｏｏｒ（ＵＥ＿ＩＤ／Ｎ）ｍｏｄ  Ｎｓ
【００２８】
下記の表は、ＴＳ  ３６．３０４（現在のバージョンは１２．０．０）から引用したものであり、上記のパラメータＮｓおよびｉ＿ｓに基づいて特定のＵＥに関するページング機会を決定するのに使用される。下記の表は、ＦＤＤのためのものである。
【００２９】
【表２】
0006650454.tif 000003
【００３０】
したがって、Ｎｓ＝１かつｉ＿ｓ＝０である、ケースＡおよびケースＢの場合、表からは９というサブフレーム番号が得られ、ケースＡおよびケースＢのＵＥは、各ページングサイクルの無線フレーム７６のうちのサブフレーム９で定期的にページングされることになる。すなわち、ケースＡの場合、次は無線フレーム３３２となり、ケースＢの場合、次は無線フレーム２０４となる。ケースＣであれば、ＵＥは各ページングサイクルの無線フレーム１９のうちのサブフレーム４で定期的にページングされる。すなわち、次は無線フレーム１４７となる。
【００３１】
上で論じたケースＢおよびケースＣに関するページングフレームおよびページング機会については、図３に例示的に描かれている。
【００３２】
Ｐａｇｉｎｇ−ＮＡＳ
たとえば、アイドルモードのＵＥへの接続を再確立するために、ＭＭＥ（たとえば、ＵＥのＰ／ＳＧＷによって通知されている）は、ＵＥが属し、またＵＥがＴＡＵ（Ｔｒａｃｋｉｎｇ  Ａｒｅａ  Ｕｐｄａｔｅ）手順を実行する必要なく（周期的なＴＡＵ手順は除く）内部を移動可能な、いわゆる追跡エリアの部分をなす、すべてのｅＮＢに対し、ページング要求メッセージを送信する。
【００３３】
ページング要求を受信すると、追跡エリアのｅＮｏｄｅＢは、セル内の無線インターフェースを介して別のページングメッセージをブロードキャストする。ＵＥは、ＰＤＣＣＨ上のＰ−ＲＮＴＩに基づいてページングに関する通知を受けた後、ＰＤＣＣＨページング通知によって示された無線リソース内で、ＰＤＳＣＨ上で送信されたページングメッセージを受信する。ＲＲＣアイドル状態のＵＥは、ページングメッセージ／信号を受信すると、ＩＤＬＥ状態からＣＯＮＮＥＣＴＥＤ状態に移行し、ＩＤＬＥモード時にキャンプオンする当該ｅＮＢとのＲＲＣ接続を確立する（たとえば、ＵＥはＲＲＣ接続確立手順を開始する）。
【００３４】
システムの概観とメッセージ交換については、図４に例示的に示されており、（ＳＧＷがトリガすることで）ＭＭＥによってページングされるＵＥは、追跡エリアＴＡＣ１およびＴＡＣ３において登録されると仮定している。したがって、ＭＭＥは、これらの追跡エリアのｅＮＢにＳ１ＡＰページング要求を提供し、そのｅＮＢは、ＵＥ固有ページング見込みでページ（すなわち、ＰＤＣＣＨ通知）を送信し、次いで、ＰＤＳＣＨリソース上でページングメッセージを送信することになる。結果、ＵＥはページングを通知され、ＰＤＳＣＨ上でページングメッセージを受信し、そのページングメッセージ内の自身の識別情報を確認した後、ページングメッセージを処理するとともに、（たとえば、サービス要求をＭＭＥに送信することによって）そのページングに応答する。
【００３５】
現在のＬＴＥシステムにおける、ＭＭＥからｅＮＢに送信されるページングメッセージ、およびその内容は、３ＧＰＰ  ＴＳ  ３６．４１３（現在のバージョンは１２．４．０、非特許文献４）、ｓｕｂ−ｃｌａｕｓｅ  ８．５および９．１．６において定義されている。同文献は、参照により本明細書に組み込まれる。ＭＭＥからｅＮＢへのページングメッセージには、他の情報とともに以下の情報が含まれる。
【００３６】
−  ＵＥ＿ＩＤインデックス値。ＵＥ＿ＩＤとして知られ、（ＩＭＳＩ  ｍｏｄ  １０２４）で計算される。これに相応して、ＵＥ＿ＩＤは［０、１、…、１０２３］の範囲の値を持ち得る。
【００３７】
−  ＵＥ  Ｐａｇｉｎｇ  Ｉｄｅｎｔｉｔｙ（ＵＥページング識別情報）。アタッチ手順中ＵＥに割り当てられる、ＩＭＳＩ（ＳＩＭカードに記憶される）、またはＳ−ＴＭＳＩ（ＳＡＥ−Ｔｅｍｐｏｒａｒｙ  Ｍｏｂｉｌｅ  ｓｕｂｓｃｒｉｂｅｒ  ＩＤ）となり得る。ＵＥページング識別情報は、無線インターフェース（すなわち、Ｕｕインターフェース）を介し、ページングメッセージに含めて、ｅＮＢからＵＥへと送信される。
【００３８】
−  Ｐａｇｉｎｇ  ＤＲＸ  ｃｙｃｌｅ（ページングＤＲＸサイクル）。ＵＥ内で（ＮＡＳシグナリングを用いて）構成されるＤＲＸ（Ｄｉｓｃｏｎｔｉｎｕｏｕｓ  Ｒｅｃｅｐｔｉｏｎ）サイクル、またはＳＩＢ（Ｓｙｓｔｅｍ  Ｉｎｆｏｒｍａｔｉｏｎ  Ｂｌｏｃｋ）に含めてブロードキャストされるデフォルトＤＲＸサイクルである。デフォルトＤＲＸサイクルは、ＲａｄｉｏＲｅｓｏｕｒｃｅＣｏｎｆｉｇＣｏｍｍｏｎ  ＳＩＢ内のページングサイクルとしても知られる。ＵＥは、電力消費を抑えるために、ＩＤＬＥモード時に不連続受信を使用することができる。ＤＲＸサイクルは、特定のＵＥについてのページング発生を監視する時間間隔である。ＳＩＢに含めてブロードキャストされるデフォルトＤＲＸ／ページングサイクルの値は、３２、６４、１２８、または２５６個の無線フレームとなる。
−  ＵＥ  ｒａｄｉｏ  Ｃａｐａｂｉｌｉｔｙ  ｆｏｒ  ｐａｇｉｎｇ（ページングのためのＵＥ無線能力）。カバレッジ拡張能力を含むＵＥの無線アクセス能力が含まれる。
【００３９】
上で説明したように、ｅＮｏｄｅＢから送信されるページングメッセージは、定義されたページング見込みでブロードキャストされる。ｅＮｏｄｅＢおよびＵＥは、ページングメッセージを同時に送信／受信待ちするために、ページング見込みを把握している。
【００４０】
ＤＲＸ（Ｄｉｓｃｏｎｔｉｎｕｏｕｓ  Ｒｅｃｅｐｔｉｏｎ）の使用時、ＵＥは、ＤＲＸサイクルごとに１つのＰＯを監視するだけでよい。
【００４１】
先に触れたように、ＮＡＳ（非アクセス層）によって開始されるページングは、ＵＥに固有のものとなる。よって、ＵＥのページングは、同ＵＥのＩＭＳＩ（またはＳ−ＴＭＳＩ）を、ＰＤＳＣＨ内で送信されるページングメッセージに含まれるページング識別情報として使用することによって行われる。したがって、各ＵＥに対し、個別のページングメッセージがＭＭＥからｅＮＢへと送信され、次いで対応するｅＮＢからブロードキャストされる必要がある。
【００４２】
ｅＮｏｄｅＢからＵＥへと送信されるページングメッセージは、ＴＳ  ３６．３３１（現在のバージョンは１２．４．１）、６．２．２項、Ｍｅｓｓａｇｅ  ｄｅｆｉｎｉｔｉｏｎ、セクション「Ｐａｇｉｎｇ」において定義されている。同文献は、参照により本明細書に組み込まれる。このメッセージは、以下の要素を含み得る。
【００４３】
−  ｃｍａｓ−Ｉｎｄｉｃａｔｉｏｎ。存在する場合、ＣＭＡＳ通知の表示である。
−  ｃｎ−Ｄｏｍａｉｎ。ページング元を示す。
−  ｅａｂ−ＰａｒａｍＭｏｄｉｆｉｃａｔｉｏｎ。存在する場合、ＥＡＢパラメータ（ＳＩＢ１４）修正の表示である。
−  ｅｔｗｓ−Ｉｎｄｉｃａｔｉｏｎ。存在する場合、ＥＴＷＳプライマリ／セカンダリ通知の表示である。
−  ｉｍｓｉ。Ｉｎｔｅｒｎａｔｉｏｎａｌ  Ｍｏｂｉｌｅ  Ｓｕｂｓｃｒｉｂｅｒ  Ｉｄｅｎｔｉｔｙ。世界で一意の永続的加入者識別情報。以下のページングＵＥ−Ｉｄｅｎｔｉｔｙの一部となり得る。
−  ＳｙｓｔｅｍＩｎｆｏＭｏｄｉｆｉｃａｔｉｏｎ。存在する場合、ＳＩＢ１０−ＳＩＢ１２、ＳＩＢ１４以外のＢＣＣＨ修正の表示である。
−  ｕｅ−Ｉｄｅｎｔｉｔｙ。ページングされているＵＥのＮＡＳ識別情報を提供する。
【００４４】
上記の記述では、ページング受信時にはＵＥがアイドル状態であり、それにより、（同ＵＥのＩＭＳＩに基づく）ＵＥ固有ページング見込みでＰＤＣＣＨ上のＰ−ＲＮＴＩにアドレス指定されたＵＥへとページングメッセージが送信されるものと仮定している。この場合、ＵＥは、そのページングメッセージが確かに自分宛のものであることを、そこに含まれたページングレコード内のＩＤをチェックすることによって確認する。
【００４５】
とはいえ、ＲＲＣ接続状態のＵＥも、ページングすることが可能である。その場合、ＮＡＳからのページング関連情報を含む、ＤＬＩｎｆｏｒｍａｔｉｏｎＴｒａｎｓｆｅｒ（ダウンリンク情報転送）は、ＰＤＣＣＨ上のＣ−ＲＮＴＩ（Ｃｅｌｌ−ＲＮＴＩ。ＲＲＣ接続を識別し、特定のＵＥだけをスケジューリングするのに用いる一意のＩＤ）にアドレス指定されたＵＥへと送信される。ＤＬＩｎｆｏｒｍａｔｉｏｎＴｒａｎｓｆｅｒメッセージは、ＮＡＳまたは非３ＧＰＰ専用情報のダウンリンク転送に使用される。ＲＲＣ層は、この情報に関してトランスペアレントである。詳細については、ＴＳ  ３６．３３１（現在のバージョンは１２．４．１）、５．６．１項、「ＤＬ  ｉｎｆｏｒｍａｔｉｏｎ  ｔｒａｎｓｆｅｒ」、および６．２．２項、「Ｍｅｓｓａｇｅ  ｄｅｆｉｎｉｔｉｏｎｓ」、セクションＤＬＩｎｆｏｒｍａｔｉｏｎＴｒａｎｓｆｅｒを参照されたい。同文献は、参照により本明細書に組み込まれる。
【００４６】
ｅＮＢからのページング
ｅＮｏｄｅＢがＵＥをページングする理由の１つが、システム情報の変更である。一般に、システム情報の変更は、特定の無線フレームにおいてのみ発生することから、変更期間という概念が生まれる。システム情報は、修正期間中、同一内容で複数回送信されてよい。ネットワークは、システム情報（のいくつか）を変更する際、まずＵＥにこの変更を通知する。この通知は、修正期間を通して行われてよい。次の修正期間において、ネットワークは、更新されたシステム情報を送信する。変更通知を受信したとき、ＵＥは、次の修正期間の始まりから、直ちに新たなシステム情報を取得する。ページングメッセージは、ＲＲＣアイドル状態のＵＥおよびＲＲＣ接続状態のＵＥに、システム情報の変更を通知するのに使用される（たとえば、ＴＳ  ３６．３０４（現在のバージョンは１２．０．０）、６．１項で言及されている）。ＵＥは、ｓｙｓｔｅｍＩｎｆｏＭｏｄｉｆｉｃａｔｉｏｎを含むページングメッセージを受信した場合、次の修正期間および境界で、システム情報が変更されることになると認識する。その場合、ｓｙｓｔｅｍＩｎｆｏＭｏｄｉｆｉｃａｔｉｏｎが存在していることから、ＵＥは、ＵＥ＿ＩＤをチェックする必要がない（そのページングメッセージには含まれていない）。上記に関する詳細は、ＴＳ  ３６．３３１（現在のバージョンは１２．４．１）、５．２．１．３項に見出すことができる。同文献は、参照により本明細書に組み込まれる。
【００４７】
ｅＮｏｄｅＢがＵＥをページングするもう１つの理由は、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）通知であり、この場合、ページングメッセージが、ＲＲＣアイドル状態およびＲＲＣ接続状態のＥＴＷＳ対応ＵＥに、ＥＴＷＳプライマリ／セカンダリ通知の存在を伝えるのに使用される。上記に関する詳細は、ＴＳ  ３６．３３１（現在のバージョンは１２．４．１）、５．２．１．４項に見出すことができる。同文献は、参照により本明細書に組み込まれる。ページングメッセージは、ＲＲＣアイドル状態およびＲＲＣ接続状態のＣＭＡＳ対応ＵＥに、１つ以上のＣＭＡＳ（Ｃｏｍｍｅｒｃｉａｌ  Ｍｏｂｉｌｅ  Ａｌｅｒｔ  Ｓｙｓｔｅｍ）通知の存在を伝えるのにも使用され得る。上記に関する詳細は、ＴＳ  ３６．３３１（現在のバージョンは１２．４．１）、５．２．１．５項に見出すことができる。同文献は、参照により本明細書に組み込まれる。ｅＮＢが自身のセル内のＵＥをページングするさらに別の理由は、たとえば、ＭＴＣデバイス向けのＥＡＢ（Ｅｎｈａｎｃｅｄ  Ａｃｃｅｓｓ  Ｂａｒｒｉｎｇ）に関連したものである。これについては、たとえば、ＴＳ  ３６．３３１（現在のバージョンは１２．４．１）、５．２．１．６項において説明されており、同文献は参照により本明細書に組み込まれる。
【００４８】
ＲＲＣ接続状態のＵＥ、およびＲＲＣアイドル状態のＵＥのどちらに対しても、ｅＮＢは、セル内の特定のＵＥが持つＩＭＳＩに関係なく、考えられるすべてのページング機会（たとえば、サブフレーム０、４、５、および９など）、かつ考えられるすべてのページングフレーム（たとえば、合計でＮ個の異なる無線フレーム。考えられるすべての「ＵＥ＿ＩＤ  ｍｏｄ  Ｎ」値については、ＳＦＮ  ｍｏｄ  Ｔ＝Ｔ／Ｎ（ＵＥ＿ＩＤ  ｍｏｄ  Ｎ）により計算される）で、ＰＤＣＣＨ上のＰ−ＲＮＴＩにアドレス指定されたこれらのＵＥへと、ページング通知を送信する。ページングサイクルの範囲内で考えられるすべてのページング見込みでページングメッセージを送信することにより、ｅＮＢは、すべてのＵＥがページングメッセージを受信することを保証する。ページング機会およびページングフレームを決定するための詳細な定義については、上記で示している。
【００４９】
ＭＴＣ（Ｍａｃｈｉｎｅ  Ｔｙｐｅ  Ｃｏｍｍｕｎｉｃａｔｉｏｎ：マシン型通信）
ＬＴＥの導入が進む中、事業者は、ＲＡＴの数を最低限に抑えることで、ネットワーク全体のメンテナンスコストを削減しようと腐心している。そのような観点から、ＭＴＣ（Ｍａｃｈｉｎｅ−Ｔｙｐｅ  Ｃｏｍｍｕｎｉｃａｔｉｏｎｓ）デバイスは、今後、継続的な拡大が期待される市場である。
【００５０】
ＭＴＣデバイスの多くは、ＧＳＭ／ＧＰＲＳでも十分に処理できる、ローエンド（低コスト、低データレート）な利用形態を対象としている。これらのデバイスは低価格であり、ＧＳＭ／ＧＰＲＳのカバレッジも良好であることから、ＭＴＣデバイスの製造業者は、ＬＴＥ無線インターフェースをサポートしたモジュールを使用する動機がほとんどない。
【００５１】
当分野でＭＴＣデバイスの導入が進むにつれ、この事実がＧＳＭ／ＧＰＲＳネットワークへの依存度を高めるのは自然なことである。このことは事業者にとって、複数のＲＡＴをメンテナンスするという観点でコストがかかるだけでなく、（ＧＳＭ／ＧＰＲＳの周波数帯域効率が最適なものではないことを考慮すれば）彼らが持つ周波数帯域から最大限の利益を引き出す妨げになる、という意味でも損失となろう。ユーザが増加し、トラフィックが高密度になれば、ＬＴＥ（Ｌｏｎｇ  Ｔｅｒｍ  Ｅｖｏｌｕｔｉｏｎ）など、より周波数帯域効率に優れた技術を使用することにより、事業者は自社の周波数帯域をはるかに効率的に活用できるようになる。
【００５２】
恐らく膨大な数になろうＭＴＣデバイスのことを考えれば、事業者がサービスの提供のために必要となる全体リソースも呼応して著しいものとなり、その割り当ても非効率なものとなる可能性がある（ＭＴＣの目的に関するさらなる詳細は、たとえば、３ＧＰＰ、ＲＰ−１１１１１２、Ｖｏｄａｆｏｎｅ：「Ｐｒｏｖｉｓｉｏｎ  ｏｆ  ｌｏｗ−ｃｏｓｔ  ＭＴＣ  ＵＥｓ  ｂａｓｅｄ  ｏｎ  ＬＴＥ」（非特許文献５）、ｓｅｃｔｉｏｎ  ４を参照されたい。同文献は、ｈｔｔｐ：／／ｗｗｗ．３ｇｐｐ．ｏｒｇで閲覧可能であり、参照により本明細書に組み込まれる）。
【００５３】
目下、ＬＴＥのコストを抑えるための手法は、何よりも製品の数量に関連したものとなる。数量の影響は、低コストＭＴＣがどれだけ導入されたかに応じて、２つの方法で見て取ることができる。第１に、低コストＭＴＣをＬＴＥチップセットに含み入れ、これがあたかも主流のＬＴＥとなれば、ＭＴＣは、ＬＴＥの数量が持つ恩恵にあずかる。第２に、ＬＴＥに基づく低コストＭＴＣは、主流のＬＴＥに比べ、コストが著しく低いものとなり得る。ＭＴＣはＬＴＥの数量的恩恵を受けていないように見えるが、サポートされたＭＴＣ用途およびシナリオの数は潜在的に多数であることから、ＭＴＣデバイスの数量も増加する可能性がある。
【００５４】
そのような観点から、ＬＴＥのコストを抑えるための以下の手法（すなわち、低コストＭＴＣ）が、ＵＥに著しいコストインパクトを与えるために論じられ、見出される（低コストＭＴＣデバイスに関するさらなる詳細は、たとえば、３ＧＰＰ、Ｒ１−１１２９１２、Ｈｕａｗｅｉ、ＨｉＳｉｌｉｃｏｎ、ＣＭＣＣ：「Ｏｖｅｒｖｉｅｗ  ｏｎ  ｌｏｗ−ｃｏｓｔ  ＭＴＣ  ＵＥｓ  ｂａｓｅｄ  ｏｎ  ＬＴＥ」（非特許文献６）、ｓｅｃｉｏｎ  ４を参照されたい。同文献は、ｈｔｔｐ：／／ｗｗｗ．３ｇｐｐ．ｏｒｇで閲覧可能であり、参照により本明細書に組み込まれる）。
【００５５】
−  低コストＬＴＥのためのサポートされた帯域幅の低減。低コストな１．４ＭＨｚ（６ＲＢ）ダウンリンク帯域幅はＭＴＣのほとんどの適用シナリオをカバーし得る。しかし、複雑性が増加しないことを考慮して３ＭＨｚ（１５ＲＢ）または５ＭＨｚ（２５ＲＢ）が検討され得る。アップリンクは、ＭＴＣサービスに関するより大きな要件を持ち、送信電力を低減できる可能性があり、（ダウンリンク受信に比べ）基底帯域の複雑性が小さくなり得ることを考慮して、ＵＥにおける最低伝送帯域幅の低減は注意深く整えられるべきである。
【００５６】
−  ＰＤＣＣＨブラインドデコーディングを単純化し多数のＭＴＣデバイス全体に効果的なチャネルアクセスを与えるための低コストＬＴＥの修正されたＰＤＣＣＨ関連設計。最大帯域幅（たとえば、１．４ＭＨＺ）の低減は必然的にＰＤＣＣＨブラインドデコーディングを減少させる。
【００５７】
−  ＨＡＲＱ検討、ＭＡＣ、ＲＬＣ、およびＲＲＣプロトコルを含むプロトコル単純化。低デューティサイクルＭＴＣデバイスと基地局の間のシグナリング低減。
−  カバレッジを保持し複雑性のバランスをとるための送信モード下方選択。
【００５８】
低コストＭＴＣデバイスのさらなる検討は改良された屋内カバレッジに関する。いくつかの用途はＭＴＣ（Ｍａｃｈｉｎｅ  Ｔｙｐｅ  Ｃｏｍｍｕｎｉｃａｔｉｏｎ）デバイスの室内展開（たとえば、アパート地下での展開または地階に近いものとなり得る屋内機器への展開）を要する。これらのＵＥは通常のＬＴＥデバイスに比べ無線インターフェースに著しい透過損失を被ることになる。これは事実上、屋内カバレッジは容易に利用可能で信頼性のあるものにすべき（すなわち、既存のカバレッジに著しい改良を加えるべき）であることを意味している。
【００５９】
加えて、低コストＭＴＣデバイスの電力消費に関して、多くの用途でデバイスは最大１０年の電池寿命を持つことが必要とされることに留意されたい。この観点から、現在利用可能な省電力モードは想定される電池寿命を達成するのに十分ではないように見受けられる。この観点から、最大１０年という電池寿命を実現するために（たとえばシステム内のシグナリングのやりとりを最適化することにより）ＭＴＣデバイスの電力使用量を著しく削減するためのさらなる技術が提案されることが期待される。
【００６０】
ＥＣ（Ｅｎｈａｎｃｅｄ  Ｃｏｖｅｒａｇｅ）モード
（低コストＭＴＣデバイス向けに）屋内カバレッジを改良するために、最近の開発では、（たとえば遅延許容ＭＴＣ適用形態を運用する）ＵＥに適用可能なＥＣ（Ｅｎｈａｎｃｅｄ  Ｃｏｖｅｒａｇｅ）モードに焦点が当てられている。これは「Ｃｏｖｅｒａｇｅ  Ｅｘｔｅｎｓｉｏｎ（カバレッジ拡張）」とも呼ばれる。これに対応する３ＧＰＰ  Ｒｅｌｅａｓｅ  １２のワークアイテム、「Ｌｏｗ  ｃｏｓｔ  ＆  ｅｎｈａｎｃｅｄ  ｃｏｖｅｒａｇｅ  ＭＴＣ  ＵＥ  ｆｏｒ  ＬＴＥ」では、ＭＴＣ向けのＬＴＥデバイスのさらなる複雑性の低減は、スタディレポートＴＲ  ３６．８８８から明らかになるさらなる複雑性低減技術がサポートされれば達成可能であるという結論に至った。スタディレポートＴＲ  ３６．８８８は、ＭＴＣデバイスを困難な場所（たとえば、ビルの深部など）で展開する使用例をサポートし、複雑性低減技術が引き起こす利得低減を補償するために、通常のＬＴＥフットプリントに比べてＦＤＤとＴＤＤの両方について１５−２０ｄＢを目標にカバレッジを改良することが可能であると結論付けた。現在、ＭＴＣカバレッジの増強は、３ＧＰＰ  Ｒｅｌｅａｓｅ  １３で導入されることが期待されている。
【００６１】
全体的な目的は、カバレッジの増強と電力消費低減を可能にするＬＴＥ内のＭＴＣ動作のために新たなＵＥを指定することである。いくつかの追加の目的を以下に示す。
−  ダウンリンクおよびアップリンクで１．４ＭＨｚというＵＥ帯域幅を低減する。
−−  帯域幅が低減されたＵＥは、任意のシステム帯域幅内で動作可能となるべきである。
−−  帯域幅が低減されたＵＥと非ＭＴＣ  ＵＥの周波数多重がサポートされるべきである。
−−  ＵＥは、ダウンリンクおよびアップリンクで１．４ＭＨｚ  ＲＦ帯域幅をサポートするだけでよい。
−−  仕様によってサポートされる許可された再チューニング時間（たとえば、〜０ｍｓ、１ｍｓ）はＲＡＮ４によって決定されるべきである。
【００６２】
−  最大送信電力の低減。
−−  新たなＵＥ電力クラスの最大送信電力は、ＲＡＮ４によって決定されるべきであり、一体型ＰＡ実装をサポートするべきである。
【００６３】
−  サポートするダウンリンク送信モードの数の低減。
【００６４】
−  同ワークアイテム内では、以下のさらなるＵＥ処理の軽減も検討され得る。
−−  ユニキャストおよび／またはブロードキャストシグナリングのための最大転送ブロックサイズの低減。
−−  複数の送信に対し、サポートする同時受信の数の低減。
−−  制限された変調方式を含む送信および／または受信ＥＶＭ要件の緩和。物理制御チャネル処理の低減（たとえば、ブラインドデコーディングの試行回数の低減）。
−−  物理データチャネル処理の低減（たとえば、ダウンリンクＨＡＲＱタイムラインの緩和、またはＨＡＲＱ処理数の低減）。
−−  サポートするＣＱＩ／ＣＳＩ報告モードの数の低減。
【００６５】
それぞれの通常のカバレッジに対する、上記で定義されたＵＥカテゴリ／タイプおよび遅延許容ＭＴＣ適用形態を運用する他のＵＥに向けた、相対ＬＴＥカバレッジの改良（ＦＤＤでは１５ｄＢに相当）を可能にすべきである。これを達成するために、ＦＤＤおよびＴＤＤの両方に適用可能となるべき、以下の技術のうちの少なくともいくつかが検討され得る。
【００６６】
−  物理データチャネル（たとえば、ＰＤＳＣＨ、ＰＵＳＣＨなど）向けの、ＨＡＲＱを用いたサブフレームバンドリング技術。
−  制御チャネル（たとえば、ＰＣＦＩＣＨ、ＰＤＣＣＨなど）の使用の廃止。
−  制御チャネル（たとえば、ＰＢＣＨ、ＰＲＡＣＨ、（Ｅ）ＰＤＣＣＨなど）に関する繰り返し技術。
−  削除技術または繰り返し技術のいずれか（たとえば、ＰＢＣＨ、ＰＨＩＣＨ、ＰＵＣＣＨなど）。
−  １ＰＲＢよりも粒度が小さいアップリンクＰＳＤのブースト。
−  クロスサブフレームスケジューリングおよび繰り返しを伴うＥＰＤＣＣＨを用いたリソース割り当て（ＥＰＤＣＣＨのない動作も考えられ得る）。
【００６７】
−  ＳＩＢ／ＲＡＲ／ページングのための繰り返しを伴う、新たな物理チャネルフォーマット。
−  帯域幅が低減された、かつ／またはカバレッジが増強されたＵＥのための新たなＳＩＢ。
−  参照シンボル密度の増加および周波数ホッピング技術。
−  ＵＥの電力消費による影響を妥当なレベルに留めることが可能な限り、ＰＲＡＣＨに対する「ミス検出の確率」およびＰＳＳ／ＳＳＳ／ＰＢＣＨ／ＳＩＢに対する初期ＵＥシステム捕捉時間の緩和を検討することができる。
−  スプレッディング。時間周波数領域リソースを含むリソース全体に情報を伝えること、またはスクランブル化（もしくはチャネル化）コードを用いて伝えることを指す。
【００６８】
ここまで列挙したもの以外の技術も存在し得る。
カバレッジの増強レベルに違いが存在するように、カバレッジの増強量は、セルごと、および／またはＵＥごと、および／またはチャネルやチャネルのグループごとに構成可能となるべきである。カバレッジの増強レベルが異なるということは、ＣＥデバイスの送受信をサポートするのに適用されるＣＥ技術のレベルが異なることを意味し得る。この機能をサポートするための関連ＵＥの測定および報告について定義されるべきである。
【００６９】
さらなる詳細については、たとえば、３ＧＰＰ  ＲＰ−１４１８６５、「Ｒｅｖｉｓｅｄ  ＷＩ：Ｆｕｒｔｈｅｒ  ＬＴＥ  Ｐｈｙｓｉｃａｌ  Ｌａｙｅｒ  Ｅｎｈａｎｃｅｍｅｎｔｓ  ｆｏｒ  ＭＴＣ」（非特許文献７）、Ｓｏｕｒｃｅｄ  ｂｙ  Ｅｒｉｃｓｓｏｎを参照されたい。同文献は、ｈｔｔｐ：／／ｗｗｗ．３ｇｐｐ．ｏｒｇで閲覧可能であり、参照により本明細書に組み込まれる。
【００７０】
特に、Ｅｎｈａｎｃｅｄ  ＣｏｖｅｒａｇｅモードのＵＥについて、それらの通常のカバレッジに対する１５／２０ｄＢのカバレッジの増強は、ＵＥが極めて低い信号強度を受信できなくてはならないことを意味する。このことは、初期スキャン動作、セル検索、およびセル選択動作に対してだけでなく、ＵＥによって実行される、その後の通信方式にもあてはまる。
【００７１】
Ｅｎｈａｎｃｅｄ  Ｃｏｖｅｒａｇｅモードを定義する初期の試みでは、無線送信の修正に焦点が当てられていた。この点に関し、カバレッジを改善するための主要技術として、送信の繰り返しに議論の主眼が置かれた。繰り返しは、カバレッジの改善に向け、すべてのチャネルに適用可能である。
【００７２】
こうした繰り返し送信の例示的実装形態では、同一のデータが複数のサブフレームにわたって送信されるように定められる。しかし、こうした繰り返し送信は、通常のカバレッジのＵＥが必要とするよりも多くのリソースブロック（時間周波数）リソースを使用することは、直ちに明らかとなろう。
【先行技術文献】
【非特許文献】
【００７３】
【非特許文献１】３ＧＰＰ  ＴＳ  ３６．３０４、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｕｓｅｒ  Ｅｑｕｉｐｍｅｎｔ（ＵＥ）  ｐｒｏｃｅｄｕｒｅｓ  ｉｎ  ｉｄｌｅ  ｍｏｄｅ」、ｖｅｒｓｉｏｎ  １２．０．０
【非特許文献２】３ＧＰＰ  ＴＳ  ３６．３３１、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ」、ｖｅｒｓｉｏｎ  １２．４．１
【非特許文献３】Ｔｈｅｏｒｙ  ｔｏ  Ｐｒａｃｔｉｃｅ、Ｅｄｉｔｅｄ  ｂｙ：Ｓｔｅｆａｎｉａ  Ｓｅｓｉａ、Ｉｓｓａｍ  Ｔｏｕｆｉｋ、ａｎｄ  Ｍａｔｔｈｅｗ  Ｂａｋｅｒ、Ｓｅｃｏｎｄ  Ｅｄｉｔｉｏｎ、ＩＳＢＮ  ９７８０４７０６６０２５６、Ｓｅｃｔｉｏｎ  ３．４
【非特許文献４】３ＧＰＰ  ＴＳ  ３６．４１３、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｓ１  Ａｐｐｌｉｃａｔｉｏｎ  Ｐｒｏｔｏｃｏｌ（Ｓ１ＡＰ）」、ｖｅｒｓｉｏｎ  １２．４．０
【非特許文献５】３ＧＰＰ、ＲＰ−１１１１１２、Ｖｏｄａｆｏｎｅ：「Ｐｒｏｖｉｓｉｏｎ  ｏｆ  ｌｏｗ−ｃｏｓｔ  ＭＴＣ  ＵＥｓ  ｂａｓｅｄ  ｏｎ  ＬＴＥ」
【非特許文献６】３ＧＰＰ、Ｒ１−１１２９１２、Ｈｕａｗｅｉ、ＨｉＳｉｌｉｃｏｎ、ＣＭＣＣ：「Ｏｖｅｒｖｉｅｗ  ｏｎ  ｌｏｗ−ｃｏｓｔ  ＭＴＣ  ＵＥｓ  ｂａｓｅｄ  ｏｎ  ＬＴＥ」
【非特許文献７】３ＧＰＰ  ＲＰ−１４１８６５、「Ｒｅｖｉｓｅｄ  ＷＩ：Ｆｕｒｔｈｅｒ  ＬＴＥ  Ｐｈｙｓｉｃａｌ  Ｌａｙｅｒ  Ｅｎｈａｎｃｅｍｅｎｔｓ  ｆｏｒ  ＭＴＣ」
【非特許文献８】３ＧＰＰ  ＴＳ  ３６．２１４、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ；Ｍｅａｓｕｒｅｍｅｎｔｓ」、ｖｅｒｓｉｏｎ  １０．１．０
【発明の概要】
【００７４】
非限定的かつ例示的な一実施形態により、特にカバレッジ拡張を必要とするユーザ機器を含む、セル内のすべてのユーザ機器をページングするための改良された方法が提供される。別の非限定的かつ例示的な実施形態により、セル内の１つのユーザ機器、特にカバレッジ拡張を必要とするユーザ機器をページングするための改良された方法が提供される。
独立請求項は、非限定的かつ例示的な実施形態を提供するものである。有利な実施形態は、従属請求項に従ったものとなる。
第１の態様によれば、本開示が、無線基地局が自身のセル内のユーザ機器をページングすることを可能にするページング手順を、特に、ページングがカバレッジ拡張を必要とするユーザ機器、すなわち、無線状態は悪いが背景技術の項で説明したカバレッジ拡張技術をサポートするユーザ機器にも届く（リーチする）場合について、改良する。第１の態様は、ページングが無線基地局によって開始され、無線基地局のセル内のすべてのユーザ機器にリーチする場合、換言すれば、ページングがＵＥ固有ではなくセル固有であり、たとえば、警報メッセージをブロードキャストするため、または差し迫ったシステム情報の変更をＵＥに通知するために使用され得る場合にあてはまる。
【００７５】
結果、ページングは、カバレッジ拡張を必要とするユーザ機器だけでなく、カバレッジ拡張を必要としない「通常」のユーザ機器にもリーチしなくてはならない。第１の態様の中心思想は、カバレッジ拡張技術をサポートするユーザ機器、より正確にいえば、確実にリーチされるようにカバレッジ拡張を必要とするユーザ機器に対して明確に定義される、カバレッジ拡張固有ページング見込みの定義である。それに応じて、ＣＥ−ＵＥは、自身の識別情報に基づいて計算されたＵＥ固有ページング見込みを監視するだけでなく、専らカバレッジ拡張ページングを達成するために（少なくとも１つの）異なるページング見込みも追加的に監視する。アイドル状態のＣＥユーザ機器と接続状態のＣＥユーザ機器の両方が、このＣＥ固有ページング見込み（ＣＥ−ｓｐｅｃｉｆｉｃ  ｐａｇｉｎｇ  ｐｏｓｓｉｂｉｌｉｔｙ）を監視するように構成され得る。結果、これらのＣＥ−ＵＥにリーチするために、無線基地局は、前記ＣＥ固有ページング見込みでＣＥ−ＵＥをページングし、ページングのカバレッジを拡大することによって確実にＣＥ−ＵＥにリーチするための複数の利用可能な技術（たとえば、繰り返し、または送信電力の増大）のうちの１つを使用する。
【００７６】
通常のＵＥ固有ページング見込み同様、このＣＥ固有ページング見込みは、特定の無線フレーム番号およびサブフレーム番号によって定義され、定期的に（たとえばページングサイクルごとに）発生する。
【００７７】
ＣＥ固有ページング見込みはＣＥ−ＵＥによってのみ監視されることが好ましいため、無線基地局は、依然として他の非ＣＥ−ＵＥにリーチすることを必要とし、したがって、背景技術の項で記述したように、セル内のすべてのＵＥにリーチするために、ページングサイクルのすべての考えられるページング見込みでページングを実行することができる。その場合、無線基地局は、考えられるすべてに対してではなく、ＣＥ−ＵＥが、ＣＥ固有ページング見込みでのページングによってリーチされることを保証可能であるため、同無線基地局は、カバレッジ拡張技術を使用しない。
【００７８】
上述した第１の態様が持つ利点の１つが、１つの専用ページング見込みをＣＥ−ＵＥのために提供することによって、ダウンリンクリソースを温存できるということである。無線基地局にとって重い負担となり得るカバレッジ拡張技術が極めて限定的な方法で、つまり、１つのページング見込みについてだけ適用される。
【００７９】
第１の態様の変形形態のあるセットでは、このＣＥ固有ページング見込みの定義方法が異なる。一般に、ページングを確実に成功させることができるように、ＣＥ固有ページング見込みは、ＣＥ−ＵＥと無線基地局の両方が知っておく必要があるといえる。しかし、ＣＥ固有ページング見込みが厳密にどのように定義されるかは異なり得る。解決策の１つは、ＣＥ固有ページング見込みの無線フレーム番号およびサブフレーム番号を事前に固定して、それにより、対応する情報を、たとえば、無線基地局とＣＥ−ＵＥ（たとえばＵＳＩＭ）に事前記憶することや、無線基地局が自身のセル内で同じものをブロードキャストすることを可能にするというものである。考えられる別の解決策は、無線基地局によってシステムに対して一般構成される、複数の可能なページングサブフレームを、ＵＥ固有ページングサブフレームかＣＥ固有ページングサブフレームのどちらかとして使用するために分割するというものである。通常のＵＥとＣＥ−ＵＥのページングパラメータ（たとえば、ｎＢ）を対応させて構成することにより、ＣＥ−ＵＥが、たとえば、１つの通常のＵＥ固有ページングサブフレームと、１つのＣＥ固有ページングサブフレームとに割り当てられ得る。さらに別の解決策は、ＣＥ−ＵＥに独占的に割り当てられ、ＣＥ固有ページング見込みの計算に使用可能な、追加のＣＥ固有ＵＥ識別情報に基づくものであり、加えて、先行技術と同様に、ＵＥ固有ページング見込みは、ＣＥ−ＵＥの通常の識別情報（たとえば、ＩＭＳＩ）に基づいて計算される。
【００８０】
第２の態様によれば、無線基地局が自身のセル内にあるカバレッジ拡張を必要とするユーザ機器をページングするための手順が改良される。この第２の態様は、ページングが、コアネットワーク（ＮＡＳ）内で開始され、単一のＵＥ（または極少数のＵＥ）を宛先とする場合にあてはまり、これは、第１の態様がｅＮＢによって開始されるセル全体にわたるページングを扱うのとは対照的である。特定のＣＥ−ＵＥに向けられたページングは確実にそのＣＥ−ＵＥにリーチすることになるため、無線基地局は、ＣＥページングのために、１つの適切なカバレッジ拡張技術を使用することになる。無線基地局からの不要なＣＥページングを回避するために、ＣＥ対応ＵＥは、測定および報告手順を実施することになり、無線基地局はこの手順に従って、ＵＥの現在のＣＥステータスについて通知を受ける。よって、無線基地局は、現在実際にＣＥステータスにある、すなわち、現在カバレッジ拡張を必要としている、ＣＥ対応ＵＥのためにだけＣＥページングを実行することになる。ＣＥ−ＵＥは、ＣＥ対応ではあるが、基地局から通知されるＣＥ対応ＵＥのステータスが、その瞬間に同ＣＥ対応ＵＥによってカバレッジ拡張が実際に必要とされてはないと示す場合、カバレッジ拡張技術を用いてページングされることはない。
【００８１】
その瞬間にカバレッジ拡張が必要か否かを判断するために、適切な無線測定が、ＣＥ対応ＵＥによって定期的に実行される。測定は、現在のＣＥステータスに関連する場合には、無線基地局またはコアネットワークエンティティによってもトリガされ得る。これらの測定値には、たとえば、ＲＳＲＱ、ＲＳＲＰ、チャネル品質、ブロック誤り率、またはその他任意の好適な測定パラメータのうち、少なくとも１つが含まれ得る。自身にカバレッジ拡張が必要か否かを判断するためにＣＥ対応ＵＥが測定結果と比較する、適切な閾値が定義され得る。
【００８２】
つまり、特定のＣＥ対応ＵＥは、自身のＣＥステータスを変更すること、すなわち、ＣＥ−ＵＥ（すなわち、実際にカバレッジ拡張を必要とする）と非ＣＥ−ＵＥ（すなわち、ＣＥをサポートするがその瞬間にはＣＥを必要としない）の切り替えを行うことが可能となる。
【００８３】
無線基地局は、ＣＥ対応ＵＥの現在のＣＥステータスを最新に保つことから、ページング時には、ページングにカバレッジ拡張が実際に必要か否かについて把握している（べきである）。アップリンクトラフィックを制限するために、無線基地局への通知は、ＣＥ対応ＵＥのＣＥステータスが変更される、すなわち、非ＣＥ−ＵＥからＣＥ−ＵＥへと、またはその反対へと変更される場合に限定され得る。当然ながら、前記の切り替えがない場合でも、ＣＥ対応ＵＥが、そのような情報／測定値を定期的に測定および報告することも可能となるべきである。その場合、ｅＮＢは、その実施に基づき、測定報告を含む受信した情報のいくらかの平均化を実行し、ＣＥステータスの切り替えが実際に有用であると判断する。通知ステップは、たとえば、ＣＥ対応ＵＥと無線基地局の間で直接的に、たとえば、接続状態にありしたがって対応するＣＥステータスを無線基地局に提供可能なＣＥ対応ＵＥのために、実行されてよい。あるいは、ＣＥ対応ＵＥは、コアネットワークエンティティに報告をすることが可能であり、コアネットワークエンティティは、遅くともページングをトリガする際には、無線基地局に通知することが可能である。このことは、たとえば、ＣＥ対応ＵＥがアイドル状態であり、したがって無線基地局とアクティブな接続を持たない場合になされ得る。
【００８４】
それに応じて、ＣＥ−ＵＥのページングが、無線基地局により、ＣＥ技術を用いることによって実行される一方、非ＣＥ−ＵＥのページングは、ＣＥ技術を用いずに実行される。ＣＥ対応ＵＥは、ＣＥページングまたは通常のページングを適切に受信する。
【００８５】
それに応じて、ある一般的な第１の態様では、本明細書で開示する技術は、移動体通信システムにおいて無線基地局によって制御されるセル内のすべてのユーザ機器をページングするための方法を特徴とする。少なくとも１つの定期的に発生するカバレッジ拡張固有ページング見込み、略言すればＣＥ固有ページング見込みが、カバレッジ拡張を必要とするユーザ機器、略言すればＣＥユーザ機器をページングするために定義される。無線基地局は、ＣＥユーザ機器のためにカバレッジ拡張を達成するための複数の技術のうちの１つを使用する能力を有する。セル内のＣＥユーザ機器は、少なくとも１つのＣＥ固有ページング見込みを定期的に監視する。無線基地局がセル内のすべてのユーザ機器をページングすると決定した場合、無線基地局は、セル内のＣＥユーザ機器を、ＣＥ固有ページング見込みで、カバレッジ拡張を達成するための複数の技術のうちの１つを使用して、ページングする。
【００８６】
上記に加えて、または代替として使用可能な、第１の態様の有利な変形形態によれば、無線基地局のセル内の特定のユーザ機器をページングするために、複数のＵＥ固有ページング見込みが定義される。ＣＥユーザ機器および非ＣＥユーザ機器の各々は、複数のＵＥ固有ページング見込みの中からそれぞれのＵＥ固有ページング見込みを監視する。無線基地局は、セル内のユーザ機器のすべてをページングすると決定したとき、複数のＵＥ固有ページング見込みのすべてで、カバレッジ拡張を達成するための複数の技術のうちの１つを使用することなく、追加でページングを実行する。別の実施例によれば、複数のＵＥ固有ページング見込みの各々は、少なくとも１つのＣＥ固有ページング見込みとは異なる。
【００８７】
上記に加えて、または代替として使用可能な、第１の態様の有利な変形形態によれば、少なくとも１つのＣＥ固有ページング見込みの各々が、無線フレーム番号およびサブフレーム番号によって定義され、ページングサイクルごとに繰り返される、制御チャネルの無線リソースを参照する。少なくとも１つのＣＥ固有ページング見込みは、ＣＥユーザ機器によってのみ監視される。たとえば、少なくとも１つのＣＥ固有ページング見込みが、アイドル状態のＣＥユーザ機器および接続状態のＣＥユーザ機器によって監視される。
【００８８】
上記に加えて、または代替として使用可能な、第１の態様の有利な変形形態によれば、ページングのステップには、無線基地局により、少なくとも１つのＣＥ固有ページング見込みによって指定される制御チャネルの無線リソースで、第１のページング通知を送信することと、無線基地局により、第１のページング通知によって指定される別のチャネルの無線リソースで、第２のページングメッセージを送信することとが含まれる。たとえば、カバレッジ拡張を達成するための技術が、第１のページング通知を送信すること、および第２のページングメッセージを送信することの両方に適用される。
【００８９】
上記に加えて、または代替として使用可能な、第１の態様の有利な変形形態によれば、カバレッジ拡張を達成するための複数の技術が、事前に設定された回数だけ、無線基地局によって、メッセージが繰り返される、繰り返し技術と、増大された送信電力で、無線基地局によって、メッセージが送信される、送信電力の増大と、同一のメッセージが、連続する複数のサブフレームで送信される、バンドリング技術と、メッセージが、より大きなリソースによって（たとえば、より大きな周波数時間リソースまたはチャネル化コードを介して）送信される、スプレッディング技術とのうち、少なくとも１つを含む。
【００９０】
上記に加えて、または代替として使用可能な、第１の態様の有利な変形形態によれば、セル内のすべてのユーザ機器をページングすることを無線基地局によって決定するステップが、無線基地局によって制御されるセルに対して適用可能なシステム情報の変更によって、または無線基地局によって制御されるセル内でブロードキャストされることになるメッセージ（たとえば、警報メッセージ）の存在によって、トリガされる。
【００９１】
上記に加えて、または代替として使用可能な、第１の態様の有利な変形形態によれば、少なくとも１つのＣＥ固有ページング見込みの各々が、ＣＥ固有ページング見込みに対して固定されるように事前構成される無線フレーム番号およびサブフレーム番号によって定義される制御チャネルの無線リソースを参照する。たとえば、事前構成される無線フレーム番号および事前構成されるサブフレーム番号を決定するための情報が、ＣＥユーザ機器のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ：万国加入者同定モジュール）に記憶されるか、またはセル内の無線基地局によってブロードキャストされる。さらに例示すれば、事前構成されるサブフレーム番号が、１、２、３、６、７、または８となる。
【００９２】
上記に加えて、または代替として使用可能な、第１の態様の有利な変形形態によれば、無線基地局のセル内でのページングのために複数のページング見込みが定義され、ＵＥ固有ページング見込みを計算するための少なくとも１つのパラメータの第１の値がＣＥ固有ページング見込みを計算するための少なくとも１つのパラメータの第２の値と異なることにより、複数のページング見込みがＣＥ固有ページング見込みとＵＥ固有ページング見込みのどちらかとして分割使用される。ＣＥユーザ機器は、ＵＥ固有ページング見込みを計算するために少なくとも１つのパラメータの第１の値を使用し、ＣＥ固有ページング見込みを計算するために少なくとも１つのパラメータの第２の値を使用するように構成される。非ＣＥユーザ機器は、ＵＥ固有ページング見込みを計算するために少なくとも１つのパラメータの第１の値を使用し、ＣＥ固有ページング見込みは計算しないように構成される。
【００９３】
上記に加えて、または代替として使用可能な、第１の態様の有利な変形形態によれば、ＣＥユーザ機器が、無線基地局およびＣＥユーザ機器がＣＥ固有ページング見込みを計算する基となるＣＥ固有ユーザ機器識別情報を割り当てられる。たとえば、ＣＥ固有ユーザ機器識別情報は、すべてのＣＥ対応ユーザ機器に対して同一であり、ＣＥ固有ユーザ機器識別情報は、ＣＥユーザ機器のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）に記憶されるか、またはセル内の無線基地局によってブロードキャストされる。さらに例示すれば、複数の異なるレベルのカバレッジ拡張が定義され、各レベルのカバレッジ拡張に対して異なるＣＥ固有ユーザ機器識別情報が定義される。
【００９４】
上記に加えて、または代替として使用可能な、第１の態様の有利な変形形態によれば、複数の異なるレベルのカバレッジ拡張が定義され、各レベルのカバレッジ拡張に対し、当該レベルのカバレッジ拡張に向けて構成されたＣＥユーザ機器をページングするために、異なるＣＥ固有ページング見込みが定義される。
【００９５】
上記に加えて、または代替として使用可能な、第１の態様の有利な変形形態によれば、無線基地局が、自身のセル内にアイドル状態のＣＥユーザ機器が存在するかどうかを、アイドル状態のＣＥユーザ機器が無線基地局に対してその無線基地局が制御するセル内に自身が存在するかどうかを通知するカウント手順を実行することによって判断する。たとえば、その判断は、セル内に接続状態のＣＥユーザ機器が存在しない場合にだけ実行される。
【００９６】
それに応じて、ある一般的な第１の態様では、本明細書で開示する技術は、移動体通信システムにおいて無線基地局によって制御されるセル内に位置するユーザ機器を特徴とする。ユーザ機器、略言すればＣＥユーザ機器は、カバレッジ拡張を必要とし、少なくとも１つの定期的に発生するカバレッジ拡張固有ページング見込み、略言すればＣＥ固有ページング見込みが、ＣＥユーザ機器に対して定義される。無線基地局は、ＣＥユーザ機器のためにカバレッジ拡張を達成するための複数の技術のうちの１つを使用する能力を有する。ＣＥユーザ機器のプロセッサは、少なくとも１つのＣＥ固有ページング見込みを定期的に監視する。ＣＥユーザ機器の受信機は、無線基地局からのページングを、ＣＥ固有ページング見込みで、カバレッジ拡張を達成するための複数の技術のうちの１つを使用して受信する。
【００９７】
上記に加えて、または代替として使用可能な、第１の態様の有利な変形形態によれば、無線基地局のセル内の特定のユーザ機器をページングするために、複数のＵＥ固有ページング見込みが定義される。ＣＥユーザ機器のプロセッサは、複数のＵＥ固有ページング見込みの中からそれぞれのＵＥ固有ページング見込みを監視する。別の実施例では、複数のＵＥ固有ページング見込みの各々は、少なくとも１つのＣＥ固有ページング見込みとは異なる。
【００９８】
上記に加えて、または代替として使用可能な、第１の態様の有利な変形形態によれば、少なくとも１つのＣＥ固有ページング見込みの各々が、無線フレーム番号およびサブフレーム番号によって定義され、ページングサイクルごとに繰り返される、制御チャネルの無線リソースを参照する。別の実施例では、少なくとも１つのＣＥ固有ページング見込みが、アイドル状態時と接続状態時にＣＥユーザ機器によって監視される。
【００９９】
上記に加えて、または代替として使用可能な、第１の態様の有利な変形形態によれば、ページングを受信する受信機には、少なくとも１つのＣＥ固有ページング見込みによって指定される制御チャネルの無線リソースで第１のページング通知を受信することと、第１のページング通知によって指定される別のチャネルの無線リソースで第２のページングメッセージを受信することとが含まれる。別の実施例では、カバレッジ拡張を達成するための技術が、第１のページング通知を受信すること、および第２のページングメッセージを送信することの両方を行うために、ＣＥユーザ機器によって使用される。
【０１００】
上記に加えて、または代替として使用可能な、第１の態様の有利な変形形態によれば、少なくとも１つのＣＥ固有ページング見込みの各々が、ＣＥ固有ページング見込みに対して固定されるように事前構成される無線フレーム番号およびサブフレーム番号によって定義される制御チャネルの無線リソースを参照する。別の実施例では、ＣＥユーザ機器のメモリが、事前構成される無線フレーム番号および事前構成されるサブフレーム番号を決定するための情報を記憶するように構成される。例示的には、そのメモリは、ＣＥユーザ機器のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）となる。または、ＣＥユーザ機器の受信機が、セル内の無線基地局によってブロードキャストされる、事前構成される無線フレーム番号および事前構成されるサブフレーム番号を決定するための情報を受信する。
【０１０１】
上記に加えて、または代替として使用可能な、第１の態様の有利な変形形態によれば、ＣＥユーザ機器が、ＣＥ固有ユーザ機器識別情報を割り当てられ、ＣＥユーザ機器のプロセッサが、ＣＥ固有ユーザ機器識別情報に基づき、ＣＥ固有ページング見込みを計算するように構成される。例示的には、そのＣＥ固有ユーザ機器識別情報は、ＣＥ構成されたユーザ機器のすべてに対して同一である。別の実施例では、複数の異なるレベルのカバレッジ拡張が定義される。各レベルのカバレッジ拡張に対し、異なるＣＥ固有ユーザ機器識別情報が定義される。
【０１０２】
それに応じて、ある一般的な第１の態様では、本明細書で開示する技術は、移動体通信システムにおいて無線基地局によって制御されるセル内のすべてのユーザ機器をページングするための無線基地局を特徴とする。少なくとも１つの定期的に発生するカバレッジ拡張固有ページング見込み、略言すればＣＥ固有ページング見込みが、カバレッジ拡張を必要とするユーザ機器、略言すればＣＥユーザ機器をページングするために定義される。無線基地局は、ＣＥユーザ機器のためにカバレッジ拡張を達成するための複数の技術のうちの１つを使用する能力を有する。無線基地局のプロセッサは、セル内のユーザ機器のすべてをページングかどうかを判断する。無線基地局の送信機は、セル内のＣＥユーザ機器を、ＣＥ固有ページング見込みで、カバレッジ拡張を達成するための複数の技術のうちの１つを使用して、ページングする。
【０１０３】
上記に加えて、または代替として使用可能な、第１の態様の有利な変形形態によれば、無線基地局のセル内の特定のユーザ機器をページングするために、複数のＵＥ固有ページング見込みが定義され、無線基地局の送信機が、プロセッサがセル内のユーザ機器のすべてをページングすると決定したとき、複数のＵＥ固有ページング見込みのすべてで、カバレッジ拡張を達成するための複数の技術のうちの１つを使用することなく、追加でページングを実行する。たとえば、複数のＵＥ固有ページング見込みの各々は、少なくとも１つのＣＥ固有ページング見込みとは異なる。
【０１０４】
上記に加えて、または代替として使用可能な、第１の態様の有利な変形形態によれば、無線基地局の送信機が、少なくとも１つのＣＥ固有ページング見込みによって指定される制御チャネルの無線リソースで第１のページング通知を送信することと、第１のページング通知によって指定される別のチャネルの無線リソースで第２のページングメッセージを送信することとを行うように構成される。例示的には、カバレッジ拡張を達成するための技術が、第１のページング通知を送信すること、および第２のページングメッセージを送信することの両方に適用される。
【０１０５】
上記に加えて、または代替として使用可能な、第１の態様の有利な変形形態によれば、プロセッサが、無線基地局によって制御されるセルに対して適用可能なシステム情報の変更によって、または無線基地局によって制御されるセル内でブロードキャストされることになるメッセージ（たとえば、警報メッセージ）の存在によって、トリガされたときに、セル内のすべてのユーザ機器をページングすると決定する。
【０１０６】
上記に加えて、または代替として使用可能な、第１の態様の有利な変形形態によれば、少なくとも１つのＣＥ固有ページング見込みの各々が、ＣＥ固有ページング見込みに対して固定されるように事前構成される無線フレーム番号およびサブフレーム番号によって定義される制御チャネルの無線リソースを参照する。例示的には、事前構成される無線フレーム番号および事前構成されるサブフレーム番号を決定するための情報が無線基地局において記憶され、無線基地局の送信機が、事前構成される無線フレーム番号およびサブフレーム番号を決定するための情報をブロードキャストする。
【０１０７】
上記に加えて、または代替として使用可能な、第１の態様の有利な変形形態によれば、ＣＥ固有ユーザ機器識別情報がＣＥユーザ機器に割り当てられ、無線基地局のプロセッサが、ＣＥ固有ユーザ機器識別情報に基づき、ＣＥ固有ページング見込みを計算するように構成される。例示的には、無線基地局の送信機が、セル内のＣＥ固有ユーザ機器識別情報をブロードキャストするように構成される。
【０１０８】
上記に加えて、または代替として使用可能な、第１の態様の有利な変形形態によれば、無線基地局のプロセッサが、カウント手順を実行することにより、自身のセル内にアイドル状態のＣＥユーザ機器が存在するかどうかを判断する。例示的には、その判断は、セル内に接続状態のＣＥユーザ機器が存在しない場合にだけ実行される。
【０１０９】
それに応じて、ある一般的な第２の態様では、本明細書で開示する技術は、移動体通信システムにおいて無線基地局によって制御されるセル内のユーザ機器をページングするための方法を特徴とする。ユーザ機器は、カバレッジ拡張技術をサポートし、無線基地局は、ＣＥ対応ユーザ機器のためにカバレッジ拡張を達成するための複数の技術のうちの１つを使用する能力を有する。無線測定がＣＥ対応ユーザ機器によって実行され、この無線測定の結果に基づき、カバレッジ拡張が必要か否かが判断される。無線基地局は、判断結果に基づき、ＣＥ対応ユーザ機器にカバレッジ拡張が必要かどうかに関する通知を受ける。ＣＥ対応ユーザ機器のページング時、無線基地局がカバレッジ拡張を達成するための複数の技術のうちの１つを適用するか否かは、ＣＥ対応ユーザ機器に対してカバレッジ拡張が必要か否かによって決まる。
【０１１０】
上記に加えて、または代替として使用可能な、第２の態様の有利な変形形態によれば、ＣＥ対応ユーザ機器によって実行される無線測定には、ＲＳＲＰ（Ｒｅｆｅｒｅｎｃｅ  Ｓｉｇｎａｌ  Ｒｅｃｅｉｖｅｄ  Ｐｏｗｅｒ）、および／またはＲＳＲＱ（Ｒｅｆｅｒｅｎｃｅ  Ｓｉｇｎａｌ  Ｒｅｃｅｉｖｅｄ  Ｑｕａｌｉｔｙ）、および／またはチャネル品質、および／またはブロック誤り率、および／またはＨＡＲＱ動作点の測定が含まれる。
【０１１１】
上記に加えて、または代替として使用可能な、第２の態様の有利な変形形態によれば、カバレッジ拡張が必要かどうかを判断するステップには、カバレッジ拡張が必要かどうかを判断するためにＣＥ対応ユーザ機器によって無線測定の結果を第１の閾値と比較するステップが含まれる。たとえば、この比較では、無線測定の結果が第１の閾値を下回る場合にカバレッジ拡張が必要であると判断される。同ステップには、カバレッジ拡張は不要かどうかを判断するためにＣＥ対応ユーザ機器によって無線測定の結果を第２の閾値と比較するステップがさらに含まれる。たとえば、この比較では、無線測定の結果が第２の閾値を上回る場合にカバレッジ拡張は不要であると判断される。
【０１１２】
上記に加えて、または代替として使用可能な、第２の態様の有利な変形形態によれば、ＣＥ対応ユーザ機器がカバレッジ拡張を必要としているか否かを無線基地局に通知するステップには、ＣＥ対応ユーザ機器にカバレッジ拡張が必要か否かに関するどちらかの情報をＣＥ対応ユーザ機器が無線基地局に送信するステップが含まれる。その場合、たとえば、ＣＥ対応ユーザ機器は接続状態である。別の実施例では、ＣＥ対応ユーザ機器は、接続状態を維持することによって、アイドル状態への移行が回避される。あるいは、通知するステップには、ＣＥ対応ユーザ機器にカバレッジ拡張が必要か否かに関する情報をＣＥ対応ユーザ機器がコアネットワークエンティティに送信するステップが含まれる。その場合、コアネットワークエンティティは、受信した情報を無線基地局に提供する。たとえば、ＣＥ対応ユーザ機器は、接続状態またはアイドル状態である。別の実施例では、コアネットワークエンティティは、モビリティ管理エンティティである。
【０１１３】
上記に加えて、または代替として使用可能な、第２の態様の有利な変形形態によれば、ページングを開始および制御するコアネットワークエンティティにより、ＣＥ対応ユーザ機器をページングするために無線基地局がトリガされ、好ましくは、ページングを開始するコアネットワークエンティティが、モビリティ管理エンティティである。
【０１１４】
上記に加えて、または代替として使用可能な、第２の態様の有利な変形形態によれば、無線測定を実行するステップおよびカバレッジ拡張が必要か否かを判断するステップが、事前構成された時間間隔で定期的に実行され、かつ／または無線基地局によってトリガされる。
【０１１５】
上記に加えて、または代替として使用可能な、第２の態様の有利な変形形態によれば、無線基地局に通知するステップは、判断結果が前に無線基地局に通知された判断結果とは異なる場合にのみ実行される。
【０１１６】
上記に加えて、または代替として使用可能な、第２の態様の有利な変形形態によれば、無線基地局が、ＣＥ対応ユーザ機器にカバレッジ拡張が必要か否かを、初めに無線基地局にアタッチするためにＣＥ対応ユーザ機器によって選択された無線リソースに基づいて（たとえば、初めに無線基地局にアタッチする際にＣＥ対応ユーザ機器によって実行されたランダムアクセス手順のために選択されたプリアンブルまたはアクセススロットに基づいて）判断する。
【０１１７】
上記に加えて、または代替として使用可能な、第２の態様の有利な変形形態によれば、ＣＥ対応ユーザ機器をページングするステップには、無線基地局により、ＣＥ対応ユーザ機器に固有ページング見込みによって指定される制御チャネルの無線リソースで、第１のページング通知を送信するステップと、無線基地局により、第１のページング通知によって指定される別のチャネルの無線リソースで、第２のページングメッセージを送信するステップとが含まれる。別の実施例では、カバレッジ拡張を達成するための技術が、第１のページング通知を送信するステップ、および第２のページングメッセージを送信するステップの両方に適用される。
【０１１８】
上記に加えて、または代替として使用可能な、第２の態様の有利な変形形態によれば、ＣＥ対応ユーザ機器は、無線基地局によって成功裏にページングされたとき、無線基地局に対してページングの成功を通知し、無線基地局は、ページングの開始を担当するコアネットワークエンティティに対し、ページングの成功を通知することができる。
【０１１９】
それに応じて、ある一般的な第２の態様では、本明細書で開示する技術は、移動体通信システムにおいて無線基地局によって制御されるセル内に位置するユーザ機器を特徴とする。ユーザ機器、つまりＣＥユーザ機器は、カバレッジ拡張技術をサポートするものである。無線基地局は、ＣＥ対応ユーザ機器のためにカバレッジ拡張を達成するための複数の技術のうちの１つを使用する能力を有する。ＣＥユーザ機器のプロセッサは、無線測定を実行し、カバレッジ拡張が必要か否かを無線測定の結果に基づいて判断する。ＣＥユーザ機器の送信機は、判断結果に基づき、ＣＥ対応ユーザ機器にカバレッジ拡張が必要かどうかを無線基地局に通知する。ＣＥユーザ機器の受信機は、カバレッジ拡張が必要か否かに応じて、カバレッジ拡張を達成するための複数の技術のうちの１つが適用または非適用となる、無線基地局からのページングを受信する。
【０１２０】
上記に加えて、または代替として使用可能な、第２の態様の有利な変形形態によれば、ＣＥ対応ユーザ機器によって実行される無線測定には、ＲＳＲＰ（Ｒｅｆｅｒｅｎｃｅ  Ｓｉｇｎａｌ  Ｒｅｃｅｉｖｅｄ  Ｐｏｗｅｒ）、および／またはＲＳＲＱ（Ｒｅｆｅｒｅｎｃｅ  Ｓｉｇｎａｌ  Ｒｅｃｅｉｖｅｄ  Ｑｕａｌｉｔｙ）、および／またはチャネル品質、および／またはブロック誤り率、および／またはＨＡＲＱ動作点の測定が含まれる。
【０１２１】
上記に加えて、または代替として使用可能な、第２の態様の有利な変形形態によれば、プロセッサが、カバレッジ拡張が必要かどうかを判断するために無線測定の結果を第１の閾値と比較することにより、カバレッジ拡張が必要か否かを判断する。たとえば、この比較では、無線測定の結果が第１の閾値を下回る場合にカバレッジ拡張が必要であると判断される。さらに、無線測定の結果は、カバレッジ拡張は不要かどうかを判断するために、第２の閾値と比較される。たとえば、この比較では、無線測定の結果が第２の閾値を上回る場合にカバレッジ拡張は不要であると判断される。
【０１２２】
上記に加えて、または代替として使用可能な、第２の態様の有利な変形形態によれば、送信機は、ＣＥ対応ユーザ機器にカバレッジ拡張が必要か否かに関する情報を無線基地局に送信することにより、無線基地局に通知を行う。たとえば、ＣＥ対応ユーザ機器は接続状態であり、さらに、ＣＥ対応ユーザ機器は、接続状態を維持することによって、アイドル状態への移行が回避される。あるいは、ＣＥ対応ユーザ機器にカバレッジ拡張が必要か否かに関する情報は、コアネットワークエンティティに送信される。コアネットワークエンティティは、受信した情報を無線基地局に提供し、好ましくは、ＣＥ対応ユーザ機器が接続状態またはアイドル状態である。
【０１２３】
上記に加えて、または代替として使用可能な、第２の態様の有利な変形形態によれば、無線測定を実行し、カバレッジ拡張が必要か否かを判断するプロセッサが、事前構成された時間間隔で定期的に実行され、かつ／または無線基地局によってトリガされる。
【０１２４】
上記に加えて、または代替として使用可能な、第２の態様の有利な変形形態によれば、送信機は、無線基地局に対し、判断結果が前に無線基地局に通知された判断結果とは異なる場合にのみ通知を行う。
【０１２５】
上記に加えて、または代替として使用可能な、第２の態様の有利な変形形態によれば、ページングを受信する受信機には、ＣＥ対応ユーザ機器に固有ページング見込みによって指定される制御チャネルの無線リソースで、第１のページング通知を受信することと、第１のページング通知によって指定される別のチャネルの無線リソースで、第２のページングメッセージを受信することとが含まれる。たとえば、カバレッジ拡張を達成するための技術が、第１のページング通知を受信すること、および第２のページングメッセージを受信することの両方を行うために、ＣＥユーザ機器によって使用される。
【０１２６】
上記に加えて、または代替として使用可能な、第２の態様の有利な変形形態によれば、送信機は、ページングが成功したことを無線基地局に通知するようにさらに構成される。
【０１２７】
それに応じて、ある一般的な第２の態様では、本明細書で開示する技術は、移動体通信システムにおいて無線基地局によって制御されるセル内のユーザ機器をページングするための無線基地局を特徴とする。ユーザ機器は、カバレッジ拡張技術をサポートする。無線基地局は、ＣＥ対応ユーザ機器のためにカバレッジ拡張を達成するための複数の技術のうちの１つを使用する能力を有する。無線基地局の受信機は、ＣＥ対応ユーザ機器にカバレッジ拡張が必要か否かに関する情報を受信する。無線基地局の送信機が、ＣＥ対応ユーザ機器のページング時に、カバレッジ拡張を達成するための複数の技術のうちの１つを適用するか否かは、ＣＥ対応ユーザ機器に対してカバレッジ拡張が必要か否かに応じて決まる。
【０１２８】
上記に加えて、または代替として使用可能な、第２の態様の有利な変形形態によれば、情報を受信する受信機には、ＣＥ対応ユーザ機器にカバレッジ拡張が必要か否かに関する情報を、ＣＥ対応ユーザ機器から、またはコアネットワークエンティティから受信することが含まれる。
上記に加えて、または代替として使用可能な、第２の態様の有利な変形形態によれば、無線基地局の送信機は、ＣＥユーザ機器に固有ページング見込みによって指定される制御チャネルの無線リソースで第１のページング通知を送信し、第１のページング通知によって指定される別のチャネルの無線リソースで第２のページングメッセージを送信する。たとえば、カバレッジ拡張を達成するための技術が、第１のページング通知を送信すること、および第２のページングメッセージを送信することの両方に適用される。
【０１２９】
上記に加えて、または代替として使用可能な、第２の態様の有利な変形形態によれば、無線基地局の受信機は、ＣＥユーザ機器のページング成功に関する情報を受信し、無線基地局の送信機は、ページングの開始を担当するコアネットワークエンティティに対し、ページングの成功を通知する。
【０１３０】
開示する実施形態の持つさらなる利益や利点は、本明細書および図面から明らかとなる。かかる利益および／または利点は、種々の実施形態、ならびに開示する本明細書および図面の特徴によって個別に実現することが可能であり、それらの利点の１つ以上を得るために、すべてが実現される必要はない。
【０１３１】
これらの一般的かつ特定の態様は、システム、方法、およびコンピュータプログラム、ならびに、システム、方法、およびコンピュータプログラムの任意の組み合わせを用いて実装され得る。
【図面の簡単な説明】
【０１３２】
【図１】３ＧＰＰ  ＬＴＥシステムの例示的アーキテクチャを示す図である。
【図２】３ＧＰＰ  ＬＴＥのＥ−ＵＴＲＡＮアーキテクチャ全体の例示的概観を示す図である。
【図３】周期的なページングフレームおよびページング機会を２つの異なるケースについて示した図である。
【図４】システムの概観、および、ＭＭＥによって開始され、ＵＥが登録される異なる追跡エリアにわたって行われる、ページングのためのメッセージ交換を示す図である。
【図５】第１の例示的一実施形態による、２つのＣＥ−ＵＥに関する、ＵＥ固有ページング見込みおよびＣＥ固有ページング見込みを示す図である。
【図６】第１の例示的一実施形態による、ＵＥの挙動に関するシーケンス図である。
【図７】第１の例示的一実施形態による、ｅＮＢの挙動に関するシーケンス図である。
【図８】第２の例示的一実施形態による、測定報告およびページングのためのメッセージ交換に関するメッセージシーケンス図である。
【図９】第２の例示的一実施形態による、ＵＥの挙動に関するシーケンス図である。
【図１０】第２の例示的一実施形態による、ｅＮＢの挙動に関するシーケンス図である。
【発明を実施するための形態】
【０１３３】
移動局、移動ノード、ユーザ端末、またはユーザ機器は、通信ネットワーク内の物理エンティティである。１つのノードは、いくつかの機能エンティティを持ち得る。機能エンティティとは、ノードが持つ他の機能エンティティ、またはネットワークに対し、所定の機能セットを実装および／または提供する、ソフトウェアまたはハードウェアモジュールのことを指す。ノードは、ノードの通信を経由可能な通信設備または媒体に自身をアタッチする、１つ以上のインターフェースを持ち得る。同様に、ネットワークエンティティは、機能エンティティが他の機能エンティティまたは相手ノードとの通信を経由させることができる通信設備または媒体に機能エンティティをアタッチする、論理インターフェースを持ち得る。
【０１３４】
各請求項および本出願で使用される「無線リソース」という用語は、時間周波数リソースなどの物理無線リソースを指すものとして、広く理解すべきである。
各請求項および本出願で使用される「ページング見込み」という用語は、無線フレーム番号（ＰＦ（ページングフレーム）とも呼ぶ）およびサブフレーム番号（ＰＯ（ページング機会）とも呼ぶ）によって規定される、制御チャネル（たとえば、ＰＤＣＣＨ）の物理無線リソース（周波数時間リソース）を指すものとして、広く理解すべきである。
【０１３５】
各請求項および本出願で使用される「カバレッジ拡張ＵＥ」（または「ＣＥ  ＵＥ」）という表現は、（たとえば無線状態が不良であるために）カバレッジの拡張を必要とするＵＥを指すものとして、広く理解すべきである。「ＣＥ対応ＵＥ」という表現は、実際にカバレッジ拡張を必要とするか否かを問わず、カバレッジ拡張技術をサポートしているＵＥ（すなわち、カバレッジ拡張を目下必要としない場合には「非ＣＥ  ＵＥ」であると解釈され得るが、カバレッジ拡張技術をサポート可能であるＵＥ）に対して使用されるものとする。ｅＮＢの視点からは、ある特定の時点において、ＣＥ対応ＵＥが実際にカバレッジ拡張を必要としているか否かは、不明瞭なものとなり得る。第２の実施形態は、このような欠点に向けられたものである。
【０１３６】
これに応じて、各請求項および本出願で使用される「非ＣＥ−ＵＥ」という表現は、カバレッジ拡張を必要としない（たとえ実際は対応するＣＥ技術をサポートしていても）ＵＥ、およびカバレッジ拡張技術をサポートしていないＵＥの両方を指すものとして、広く理解すべきである。
【０１３７】
各請求項および本出願で使用される「ＵＥ固有ページング見込み」という表現は、ＵＥ−ＩＤ（たとえば、ＩＭＳＩ）に基づいて計算され、カバレッジ拡張のみに特有となるＣＥ固有ページング見込みに関する文脈で理解すべきである、ページング見込みとして広く理解すべきである。背景技術の項で記述したように、ＵＥが自身のＩＤに応じて割り当てられる、利用可能なページング見込みの量には限りがある。特定のページング見込みをいくつかのＵＥによって監視することは可能であるが、ＵＥによって監視されることになるページング見込みがそれぞれのＵＥ−ＩＤに基づいて決定されるという意味において、ページング見込みはＵＥに固有のものである。
【０１３８】
「ページング通知」および「ページングメッセージ」という用語は、各請求項および本出願において、最初のＰＤＣＣＨメッセージ（基本的には、たとえば共通のＰ−ＲＮＴＩを用いた、ページングメッセージを通知する表示である）と、実際のページング情報を有する後続のＰＤＳＣＨメッセージとを指すものとして、それぞれ区別される。「ページング」という用語は、このような区別を持たず、両方をその範囲に含むものとする。
【０１３９】
本出願で使用される「ＣＥページ」または「ＣＥページング」という用語は、複数あるカバレッジ拡張技術のうちの１つが使用されるページングを広く指すものとする。たとえば、ＣＥ技術としてｅＮＢによって使用される繰り返し技術を考えたとき、「ＣＥページ」には、その繰り返し技術のために定義された事前構成済みの回数だけ、両方のページングメッセージ（すなわち、ＰＤＣＣＨ上のページング通知、およびＰＤＳＣＨ上の実際のページングメッセージ）の送信を繰り返すことが伴われる。
【０１４０】
背景技術の項で説明したように、カバレッジ拡張技術は（ＭＴＣ）デバイス向けに実装されるものであって、ページング手順に関し、カバレッジ拡張がどのように達成されるかが明確ではない。いずれにせよ、これらの技術はいずれも消費が非常に高いものとなるため、必要時にのみ使用されるべきである。ｅＮＢによって開始され、セル内のすべてのＵＥを対象とするページングの場合、現在実装されているページングは、すべてのＵＥにリーチするために、考えられるすべてのページング見込みに対して適用される。ＣＥ−ＵＥにもリーチするために、カバレッジ拡張技術は、考えられるすべてのページング見込みでページングに適用され得るが、結果として、リソースの消費は高くなる。
【０１４１】
ＮＡＳによって開始され、１つのＵＥのみ（または極めて少数のＵＥ）を対象とするページングの場合、ＭＭＥは、カバレッジ拡張を許可し、上述のカバレッジ増強技術をサポートするために、ＲＲＣ＿Ｃｏｎｎｅｃｔｅｄ状態のＵＥの能力を、Ｓ１インターフェースを介してｅＮＢに通知する。しかし、そのＵＥがページング時点でカバレッジ拡張を実際に必要としているかどうかは明確にならない（たとえば、ＵＥやＭＴＣデバイスの地下室から開濶地への移動時）。結果的に、ＵＥの無線状態が良好であり、カバレッジ拡張ページングを必要としていないにもかかわらず、ｅＮＢは、ＣＥ技術の１つを用いて、ＵＥ固有ページング見込みでＵＥをページングする可能性がある。この場合も、リソースが浪費される。
【０１４２】
以下の例示的実施形態は、これまでに説明した問題を軽減するために、発明者らによって構想されたものである。
【０１４３】
いくつかの実施形態は、３ＧＰＰ標準によって与えられ、部分的には背景技術の項で説明した広範な仕様において、種々の実施形態に関連した以下の記述において説明する、重要な特定な特徴を用いて実装されることになる。各実施形態は、たとえば、上記の背景技術の項で記述した、３ＧＰＰ  ＬＴＥ−Ａ（Ｒｅｌｅａｓｅ  １０／１１／１２／１３）通信システムなどの移動体通信システムにおいて使用することで有益なものとなり得るが、その特定の例示的通信ネットワークでの使用に限定されるものではないことに留意されたい。
【０１４４】
説明は、本開示の範囲を限定するものではなく、本開示をより良く理解するための、実施形態の単なる例示として理解すべきである。当業者であれば、各請求項で展開される本開示の一般原理は、さまざまなシナリオに対し、本明細書では明示的に記述しない方法で適用可能であることは理解されよう。したがって、種々の実施形態の説明のために仮定される以下のシナリオは、本開示およびその実施形態を制限するものではない。
【０１４５】
以下、実施形態一式について説明する。以下の実施形態では、ＵＥ、ＣＥ−ＵＥ、ＣＥ対応ＵＥといった広義の表現を用いるが、各実施形態は、ＭＴＣデバイス、すなわち、ＣＥ−ＭＴＣデバイスまたはＣＥ対応ＭＴＣデバイスなどに対しても、等しく適用可能である。
【０１４６】
実施形態１
第１の例示的実施形態によれば、ｅＮＢが自身のセル内にある、カバレッジ拡張を必要とするＵＥ（当然ながらカバレッジ拡張をサポートしている）を含むすべてのＵＥのページングを可能にするページング手順が提供される。
【０１４７】
この第１の実施形態では、ページングはｅＮＢ自身によって開始される（すなわち、トリガされる）ことを前提としており、これは、非アクセス層によって開始されるページングとは対照的である（このページングについては、第２の実施形態によって改良されたページング手順が提供される）。背景技術の項で既に説明したように、いくつかの理由から、ページングはｅＮＢによって開始されてよい。たとえば、セルに適用可能なシステム情報は変更される可能性があり、また、ｅＮＢは、更新されたシステム情報を次の修正期間の開始時から直ちにＵＥが取得できるように、自身のセル内のＵＥに通知することを必要とする。別の理由としては、ＥＴＷＳまたはＣＭＡＳシステムからのメッセージやＥＡＢ（Ｅｎｈａｎｃｅｄ  Ａｃｃｅｓｓ  Ｂａｒｒｉｎｇ  ｆｏｒ  ＭＴＣ  ｄｅｖｉｃｅｓ）関連メッセージなどの警報メッセージを、セル内でブロードキャストする必要がある、ということが挙げられる。より詳細な情報はここでは省略するため、第１の実施形態に等しく適用される、背景技術の項における対応する節を参照されたい。
【０１４８】
したがって、これらの理由の性質上、ｅＮＢは、カバレッジ拡張が成功裏にリーチすることを必要としているＵＥを含む、セル内のすべてのＵＥにページングを確実にリーチさせる必要がある。第１の実施形態によれば、特に、これらのＣＥ−ＵＥをページングするためのページング見込みが確立される。以下、このようなページング見込みを、ＣＥ固有ページング見込みと称する。より正確にいえば、ＣＥページングに使用可能なＰＤＣＣＨの無線リソースを基準にして、ＣＥ固有ページングフレームおよびＣＥ固有サブフレームが定義される。現在のシステムにおいて定義されるＵＥ固有ページング見込みと同様に、ＣＥ固有ページング見込みも、定期的に（たとえば、ＵＥが追いかけるページングサイクルに準じた周期的な仕方で）発生することになる。ＣＥ固有ページング見込みは、背景技術の項で論じたように、先行技術によって既に確立された通常のＵＥ固有ページング見込みに追加する形で定義することが可能である。ＣＥ固有ページング見込みは、ＵＥの識別情報から独立したものとなり、たとえば、特定セルのＣＥ−ＵＥ、または全体的なすべてのＣＥ−ＵＥ（もしくは、後に説明するように、少なくとも特定のＣＥレベルを持つすべてのＣＥ−ＵＥ）など、複数のＣＥ−ＵＥにとって同一のものとなる。このことは、（たとえいくつかのＵＥが同一のページング見込みを監視し得るとしても）ＵＥのＩＤに基づいて計算されるためにＵＥに固有となる、通常のＵＥ固有ページング見込みと異なっている。このＣＥ固有ページング見込みは、少なくともｅＮＢとＣＥ−ＵＥで把握されるものとなり、非ＣＥ−ＵＥには通知されてもされなくてもよい。ただし、これらの非ＣＥ−ＵＥは、「通常の」（すなわち、非ＣＥの）ページングによってリーチされ得るため、ＣＥ固有ページング見込みを監視することはない。
【０１４９】
また、ｅＮＢによって開始されるページングは、ＲＲＣアイドル状態のＵＥおよびＲＲＣ接続状態のＵＥの両方にリーチすることになる。よって、ＣＥ固有ページング見込みは、ＲＲＣアイドル状態のＵＥおよびＲＲＣ接続状態のＵＥの両方によって監視されることになる。
【０１５０】
ＣＥ−ＵＥは、ＣＥ固有ページング見込みを周期的に監視してＣＥページングを受信することにより、自身に対するページングの成功を確実なものとする。
【０１５１】
ｅＮＢについて見れば、（たとえば、システム情報の変更によって）ページングがトリガされた際、ＣＥ−ＵＥにリーチするために、ｅＮＢは、ＣＥ固有ページング見込みによって与えられる対応するページング機会を待機し、次いで、自身のセル内にあるすべてのＣＥ−ＵＥによって監視されるＣＥ固有ページング見込みで、ＣＥページングを実行することになる。ＵＥ固有ページング見込みに関する場合と同様に、このことにも、ＣＥ固有ページング見込みの無線フレームおよびサブフレームにおけるＰＤＣＣＨ上でのページング通知の送信と、ＰＤＣＣＨ上のページング通知によって示されるＰＤＳＣＨのリソース上での対応するページングメッセージの送信とが特に関係する。このＣＥページングに関する２つのメッセージの送信は、カバレッジ拡張の達成を見越した複数のＣＥ技術のうち、適切な技術の１つ（たとえば、繰り返し技術や、送信に使用する電力が著しく高まる技術）を用いることによって実行される。
【０１５２】
ｅＮＢのセル内にあるＣＥ−ＵＥは、ＣＥ固有ページング見込みを監視することから、ＰＤＣＣＨ上のページング通知と、それに続けて、ＰＤＳＣＨ上のページングメッセージとを受信する。また、ｅＮＢは、ＣＥ−ＵＥが把握している、ページングに向けたカバレッジ拡張技術を使用することから、ＣＥ−ＵＥはそれに応じて、たとえば、ページング通知およびページングメッセージの繰り返しを追加で受信することにより、ＣＥページングに反応する。
【０１５３】
ページングメッセージは、たとえば、システム情報の変更や警報メッセージなどをＣＥ−ＵＥに伝える。ＣＥ−ＵＥは、ＰＤＳＣＨ上のページングメッセージの内容に応じて、たとえば、次の修正期間でシステム情報を取得したり、ＣＥ−ＵＥのユーザに警報メッセージを提供したりすることによって反応する。
【０１５４】
当然ながら、第１の実施形態では、背景技術の項で論じたように、ｅＮＢが、他の（非ＣＥ）ＵＥもページングすることを求め、その目的のため、それらのＵＥを考えられるすべてのページング見込みでページングする（すなわち、ＣＥ技術を何ら使用せずにページングする）ことが好ましい。非ＣＥ−ＵＥは、各々が自身のＵＥ固有ページング見込みを監視することになり、よって、ｅＮＢによって実行されたページングの１つを受信することになる。
【０１５５】
第１の実施形態の機能に厳密に必要というわけではないが、一般に、ＣＥ固有ページング見込みは、ＵＥに割り当て可能な、ＵＥ固有ページング見込みのいずれとも異なったものとなり得る。たとえば、サブフレーム０、４、５、９がＵＥ固有ページング見込みとして選択／計算される候補であると考えれば、ＣＥ固有ページング見込みとなる可能性があるのは、残りのサブフレーム１、２、３、６、７、および８だけとなる。
【０１５６】
考えられる一実施形態では、ＣＥ−ＵＥは、ＣＥ固有ページング見込みに加えて、背景技術の項で説明したように、自身の識別情報に基づいて計算されたＵＥ固有ページング見込みも定期的に監視し続けることができる。あるいは、ＣＥ−ＵＥは、ＣＥ固有ページング見込みとＵＥ固有ページング見込みを同時に監視せずに、ＣＥ固有ページング見込みだけを監視してもよい。
【０１５７】
図５は、２つの異なるＣＥ−ＵＥであるＵＥ１およびＵＥ２によって監視されるページング見込みを、図３と類似の様式で示した図である。図５から見て取れるように、ＣＥ−ＵＥ１は、無線フレーム番号７６、および番号２０４（７６＋１２８）、などにおいて、それぞれサブフレーム９でＵＥ固有ページング見込みを監視しており（図３、ケースＢも参照されたい）、ＣＥ−ＵＥ２は、無線フレーム番号１９、および番号１４７（１９＋１２８）、などにおいて、それぞれサブフレーム４でＵＥ固有ページング見込みを監視している（図３、ケースＣも参照されたい）ものと仮定している。加えて、ＣＥ−ＵＥ１およびＣＥ−ＵＥ２の両方は、同一のＣＥ固有ページング見込みを監視する。この例示的説明において、かかるＣＥ固有ページング見込みは、ＣＥ固有ページングフレーム３６、１６４（３６＋１２８）、などにおいて、それぞれＣＥ固有サブフレーム１で発生するものと仮定する。
【０１５８】
図６は、第１の実施形態の例示的変形に向けた、ＣＥ−ＵＥの挙動に関するシーケンス図である。特に、図５とも一致するが、ＣＥ−ＵＥは、ＣＥ固有ページング見込みとＵＥ固有ページング見込みの両方を監視し、ページング通知の受信時には、ＰＤＣＣＨページング通知によって示されるＰＤＳＣＨリソースでの対応するページングメッセージの受信（ＣＥ技術の適用の有無は問わない）へと移行するものと仮定する。その後、ＣＥ−ＵＥは、ページングメッセージの内容に応じた反応をすることになる。
【０１５９】
図７は、ページングを実行しようとするｅＮＢの対応挙動に関するシーケンス図である。ｅＮＢは、（たとえば、システム情報の変更により）自身のセル内にあるすべてのＵＥのページングを実行すると決定した後、ＣＥ技術を使用することなく、すべての非ＣＥ−ＵＥにリーチするために、考えられるすべてのＵＥ固有ページング見込みで、通常のページングの実行へと進むことになる。一方、ＣＥ−ＵＥにもリーチするために、ｅＮＢは、１つの適切なＣＥ技術（たとえば、繰り返し、または送信電力の増大）を用いて、ＣＥ固有ページング見込みで、ＣＥページングを実行することになる。
【０１６０】
上で説明した第１の実施形態は、カバレッジ拡張技術の使用を、考えられるすべてのＵＥ固有ページング見込みに適用させる必要性を取り除き、ある特定のＣＥ固有ページング見込みへと限定するという利点を持つものである。１つのページング見込みを使用することにより、すべての（または少なくとも複数の）ＣＥ−ＵＥが同時にページング可能となる。よって、対応するダウンリンクリソースを温存することが可能となる。さらに、ＣＥ固有ページング見込みは、どのＣＥ−ＵＥの実際のＩＭＳＩからも独立したものとなる。
【０１６１】
ＣＥ固有ページング見込みは、複数の異なる方法で定義することが可能であるが、ＣＥ−ＵＥとｅＮＢが把握する、ＣＥ固有ページング無線フレーム番号およびＣＥ固有ページングサブフレーム番号を必ず提供する必要がある。
【０１６２】
第１の実施形態の第１の変形形態によれば、ＣＥ固有ページング見込みは、たとえば、計算されるのではなく直接示されることによって、事前に固定される。一実施例では、ＣＥ固有ページング無線フレームおよびサブフレームに関する番号が、たとえば、ＣＥ−ＵＥ（そのＵＳＩＭ、ＵＩＣＣ内など）およびｅＮＢにおいて直接定義される。換言すれば、ＣＥ−ＵＥおよびｅＮＢは、ＣＥ固有ページング見込みに関する、特定の無線フレーム番号およびサブフレーム番号（たとえば図４の例のように、無線フレーム番号３６およびサブフレーム番号１、など）を示す情報を保有することになる。この情報は、（たとえば、ＵＳＩＭを用いて）ＣＥ−ＵＥ内に事前記憶する必要はなく、ｅＮＢからのＣＥページングに使用されるＣＥ固有ページング見込みについてＣＥ−ＵＥが学習するように、たとえばシステム情報の一部として、ｅＮＢが自身のセル内でブロードキャストするか、可能な場合には専用のメッセージを用いて示されてもよい。これにより、異なるＣＥ固有ページング見込みを、異なるｅＮＢが使用することが可能となる。
【０１６３】
あるいは、ＣＥ固有サブフレーム番号を直接示す代わりに、前記に関して、パラメータＮｓおよびｉ＿ｓ（ＵＥ固有ページング見込みの計算から既に知られている）を再使用してもよい。特に、以下の例示的拡張テーブルが使用可能である。背景技術の項で説明した、ＴＳ  ３６．３０４から利用可能な表と比較すると、拡張テーブルには、たとえば、Ｎｓ＝５の場合に関する（当然ながら、未使用の他のＮｓ数が用いられてよい。Ｎｓ＝５であれば、考えられるＰＯは、サブフレーム１、２、３、および６となる）、少なくとも１つの追加行が含まれる。
【０１６４】
【表３】
0006650454.tif 000004
【０１６５】
これの代替であれば、ＣＥ−ＵＥおよびｅＮＢが、上記の例示的な表に基づいてどのＣＥ固有ページングサブフレームを使用するかを決定できるように、Ｎｓおよびｉ＿ｓの値がＣＥ固有ページング見込みに関して事前構成されることになる。この実施例において、ＣＥ固有ページング無線フレームは、対応する無線フレーム番号によって、やはり直接的に示されることになる。
【０１６６】
この第１の変形形態が持つ利点は、ＣＥ−ＵＥが、Ｎｓおよびｉ＿ｓの計算を必要性とせずに、ＣＥ固有ページング見込みの無線フレームおよびサブフレームについて示された番号を直接使用可能であるということである。
【０１６７】
ＵＥ固有ページング見込みに対しての、ＣＥ固有ページング見込みの定義を目的とする、第１の実施形態の第２の変形形態によれば、ＣＥ固有ページング見込みは、非ＣＥ−ＵＥとは異なるパラメータ値をＣＥ−ＵＥに提供することによって定義される。ＣＥ固有ページングサブフレームは、背景技術の項において、ＵＥ固有ページング見込みに関して説明した式および原理に従って計算されるものと仮定する。同一のＵＥに対して異なるパラメータ値を用いることで、ＵＥ固有ページングサブフレームの計算により、ＣＥ固有ページング見込みの対応するサブフレーム番号とは異なるサブフレーム番号が得られる。上で説明した第１の変形形態と同様に、ＣＥ固有ページング見込みについての無線フレーム番号は固定される。
【０１６８】
一実施例では、その異なる値を持つパラメータとは「ｎＢ」、すなわち、（セル内すべてのＵＥを通じた）ページングサイクルあたりのページングサブフレーム数を示すパラメータであり、その場合、ＣＥ−ＵＥに対してある値が定義され、非ＣＥ−ＵＥには別の値が定義される。ただし、ＣＥ−ＵＥと非ＣＥ−ＵＥの間のページングサブフレームの隔たり（ｓｅｇｒｅｇａｔｉｏｎ）を幾分直接的に示すために、ネットワークによって別のパラメータがブロードキャストされてもよい。
【０１６９】
ＣＥ固有ページング見込みを定義するための、第１の実施形態の第３の変形形態によれば、ＣＥ固有ＵＥ識別情報（たとえば、ＣＥ−ＩＭＳＩ）が導入される。ＣＥ−ＵＥを構成することが可能なさまざまなＣＥレベルを検討した場合、ＣＥレベルの各々に対して、ＣＥレベル固有ＵＥ識別情報を導入することができる。どのような場合でも、ＣＥ−ＩＭＳＩは、ｅＮＢとＣＥ−ＵＥの両方が把握するものとなる。ＣＥ固有ＵＥ識別情報は、たとえば、セル内でブロードキャストするか、ＳＩＭ／ＵＳＩＭもしくはＵＩＣＣ内、またはＭＥ（Ｍｏｂｉｌｅ  Ｄｅｖｉｃｅ）内に事前記憶するかして、ＣＥ−ＵＥに予め提供しておくことができる。たとえば、１つのＣＥ−ＵＥの無線環境が悪化すればネットワークがＵＥ識別情報１を使用することになるというように、特定のＣＥ−ＵＥおよびネットワークは、カバレッジ拡張サポートが必要とされるという必要とレベルに対応した識別情報のうちの１つを使用することになり、その一方で、同ＵＥの無線環境が比較的良好なものに復帰したものの、依然ＣＥサポートが必要であれば、そのレベルの必要とされるカバレッジ拡張に対応する使用ＵＥ識別情報であるＵＥ識別情報２を使用することになる。こうしたことを行うためには、使用されるＵＥ識別情報と必要とされる対応したカバレッジ拡張とが、ネットワークおよびＣＥ−ＵＥの両方に（たとえば、指定やブロードキャストを通じて）把握され、所与の時点で特定のＣＥ−ＵＥにどのレベルを適用するかについて、ＣＥ−ＵＥとネットワークの間でハンドシェイクがなされることが重要である。このハンドシェイクには、先に説明したような、測定に関する構成と報告が含まれる。
【０１７０】
基本的には、背景技術の項でＵＥ固有ページング見込みについて説明したのと同じ計算および原理が、ＣＥ固有ページング見込みを計算するときにも適用されるものと仮定する。ｅＮＢとＣＥ−ＵＥの両方が、ＣＥ−ＵＥの実際のＩＭＳＩを使用する代わりに、ＣＥ（レベル）固有ＩＭＳＩによって同一のＣＥ（レベル）固有ページング見込みを計算することができる。
【０１７１】
背景技術の項で既に触れたように、異なるカバレッジ拡張レベル（たとえば、１５ｄＢ、１３ｄＢ、など）を定義することが可能であり、このとき、それぞれのカバレッジ拡張技術を適切に適応させて、対応するカバレッジ拡張レベルが確実に達成されるようにすることが可能である。たとえば、繰り返しＣＥ技術を考えた場合、１５ｄＢを保証するためのカバレッジ拡張レベルは１００回の繰り返しを必要とする可能性があるのに対し、異なるＣＥレベルを保証するには、より多くの、またはより少ない繰り返し回数が必要となり得る。同様の考察が他のＣＥ技術にもあてはまる。
【０１７２】
これらのカバレッジ拡張レベルのうちの１つに、特定のＣＥ−ＵＥが設定される。それに応じて、第１の実施形態の別の実施例によれば、ＣＥレベルごとに１つのＣＥ固有ページング見込み、すなわち、ＣＥレベル固有ページング見込みが定義され、それにより、ＣＥ−ＵＥは、自身が設定されたＣＥレベルのＣＥレベル固有ページング見込みだけを監視し、他のＣＥレベルに対して定義された他のＣＥレベル固有ページング見込みは監視しなくなる。
【０１７３】
第１の実施形態に対するさらなる改良としては、ＲＲＣ接続モードのＣＥ−ＵＥが、他のＵＥのＵＥ固有ページング見込みでページングの読み取りおよび受信を試行可能にするということが挙げられる。ＩＭＳＩ  ｍｏｄ  １０２４であるＵＥ＿ＩＤは、最大で１０２４個の異なる値しか取り得ず、また、無線フレームは「ＵＥ＿ＩＤ  ｍｏｄ  Ｎ」に基づいて計算されるため、Ｎ個の異なる無線フレームのみが各ページングサイクルで使用される。結果として、ＣＥ−ＵＥは、他のＵＥが利用可能な、考えられる無線フレームおよびサブフレームのすべてまたは一部を監視するように構成され得る。これにより、ＵＥがＵＥ固有ページング見込み以外のページングを受信していなければ必要とされたであろう多数回の繰り返しをネットワークが行わないようにすることができる。
【０１７４】
第１の実施形態に対するさらなる改良は、実際にＣＥページングを実行する際に焦点を当てたものである。これまでは、常にＣＥ−ＵＥがセル内にあり、よって任意のｅＮＢが、ページングがトリガされる任意の時点に、ＣＥ固有ページング見込みでＣＥページングを実行するものと（暗黙裡に）仮定されていた。ｅＮＢは、ＲＲＣ接続モードの（ＣＥ−）ＵＥは同ｅＮＢとアクティブに接続していることからこれらのＵＥをすべて把握しており、したがって、カバレッジ拡張を必要とするＣＥ−ＵＥが自身のセル内に存在するか否かを判断するものである。しかし、ｅＮＢは、現在どのＣＥ−ＵＥはＲＲＣアイドルモードで自身のセル内にあるかについては把握していない。よって、ｅＮＢのセル内にＲＲＣ接続モードのＣＥ−ＵＥが存在しないと仮定すれば、同ｅＮＢは、自身のセル内にＲＲＣアイドルモードのＣＥ−ＵＥが少なくとも１つは存在するのかどうかは認識しない。存在する可能性のあるアイドルモードのＣＥ−ＵＥにも確実にリーチするために、これらの場合、ｅＮＢは常にＣＥページングを実行しなくてはならない。しかし、このことが、ＲＲＣアイドルモードのＣＥ−ＵＥがｅＮＢのセル内に存在していなかった場合のリソースの浪費になってしまう。
【０１７５】
この改良によれば、こうしたリソースの浪費は、ｅＮＢが、ＲＲＣアイドル状態かＲＲＣ接続状態かを問わず、ＣＥ−ＵＥが自身のセル内に存在するかどうかを判断することを可能にする手順を提供することによって回避される。その目的のために、ｅＮＢは、まず、ＲＲＣ接続モードのＣＥ−ＵＥが存在するかどうかを判断し得る。この判断は、たとえば、ＭＭＥまたはＵＥから受信した、ＵＥ能力情報を有する表を保持することによって行われ得る。次いで、ｅＮＢがＲＲＣ接続モードのＣＥ−ＵＥは存在しないと判断した場合、カウント手順が開始される。このカウント手順を用いることにより、ｅＮＢは自身のセル内にあるＲＲＣアイドル状態のＣＥ−ＵＥの数を判断／推定することが可能となる。カウント手順の一実施例では、ｍｏｒｅ  ｏｒ  ｌｅｓｓラウンドロビン方式でＲＲＣアイドルのＵＥがＲＲＣ接続状態へと移行し、ＲＲＣアイドルモードのＣＥ  ＵＥの存在（すなわち、そのＵＥ自身）をネットワークに通知する。ラウンドロビン方法は、たとえば、アイドルＵＥがランダムで作成した番号をネットワークによってブロードキャストされた番号と比較する、持続性チェック方法を用いて実装され得る。作成した番号のほうが小さいＵＥだけがＲＲＣ接続へと移行して、ネットワークに通知する。ネットワークは、極めて少数のＵＥだけが所与の時間にこのテストに実際に合格するものとなるように、ブロードキャストされる値を十分小さいものに留めることができる。これは、ＲＲＣ仕様書３ＧＰＰ  ＴＳ  ３６．３３１（現在のバージョンは１２．４．１）で描かれる、ＭＢＭＳカウント手順において行われるものと同様である。同文献は、参照により本明細書に組み込まれる。
【０１７６】
したがって、ｅＮＢは、ＲＲＣアイドル状態かＲＲＣ接続状態かを問わず、自身のセル内に少なくとも１つはＣＥ−ＵＥが存在すると判断したときにだけ、ＣＥページングを実行することになる。その結果、ＣＥページングのために追加のリソースが無駄に使用されることはない。
【０１７７】
実施形態２
上で説明したように、第１の実施形態は、ｅＮＢによって開始され、次いでそのセル内のすべてのＵＥをページングすることになる、ページング手順の改良に関する。提供される第２の実施形態は、たとえばＭＭＥなどのＮＡＳ（Ｎｏｎ−Ａｃｃｅｓｓ−Ｓｔｒａｔｕｍ）によって開始され、単一のＵＥ、またはかなり少数のＵＥだけを対象とする、ページング手順の改良に関する。
【０１７８】
特に、この第２の実施形態については、ページングは、たとえば特定のＣＥ−ＵＥとの通話を確立するために、ＮＡＳによって開始されるものと仮定する。これに関連する詳細は、背景技術の項で既に提供されており（図４も参照されたい）、第２の実施形態にも等しく適用される。このことに関連し、「通話」とは、音声通話のみではなく、ＳＭＳ、ＭＭＳ、またはＰａｇｅｒのような他の端末サービスも指し得る。たとえば、ＭＭＥは、（コアネットワーク内のＳＧＷからの対応するトリガに応答して）ＣＥ−ＵＥがそのとき登録されている追跡エリアに属するすべてのｅＮＢに向けてページングメッセージを送信する。具体的にいえば、ＭＭＥは、ＲＲＣアイドルのＣＥ−ＵＥがどこに位置するかについての情報を持たない。関連付けられたＴＡリスト内のＴＡのうちの１つに属するｅＮＢの各々は、通話の宛先となるこのＣＥ−ＵＥをページングするためのページングを実行する必要がある。最後に、ページングされたＣＥ−ＵＥは、自身がキャンプオンするｅＮＢとの接続を確立し、次いで、着呼の受け入れへと進むことができる（図４も参照されたい）。
【０１７９】
上記のシナリオでは、ＭＭＥは、（ＣＥ−）ＵＥの能力、たとえば、ＵＥがカバレッジ拡張をサポート可能かどうか（および任意選択でカバレッジ拡張はどのレベルか）を、ｅＮＢに（Ｓ１インターフェースを介して）通知する。ただし、先に説明したように、この全体的な能力情報は、特定のＣＥ対応ＵＥが、その瞬間にカバレッジ拡張を実際に必要としているか否かに関する情報を与えるものではない。たとえば、ＣＥ対応ＵＥは、地下に長時間留まる、すなわち、不良な無線状態を補償するためのカバレッジ拡張が必要となる可能性があり、そのような状況において、この全く同じＣＥ対応ＵＥが地下を出て、もはやカバレッジ拡張の必要がなくなってしまうか、または、依然としてカバレッジ拡張を必要とするものの、必要とするカバレッジ拡張レベルが低下するといったことが考えられる。
【０１８０】
したがって、第２の実施形態によれば、ＣＥ対応ＵＥがページング時に実際にカバレッジ拡張を必要としているのか否かについて、ｅＮＢが学習することを可能にする手順が実施される。その目的のために、以下で詳細に説明する通り、ＵＥとｅＮＢの間で、新たな測定および報告手順が実施される。
【０１８１】
ＣＥ対応ＵＥは、自身が現在カバレッジ拡張を実際に必要としているか否かの判断を可能にする、無線測定を実行するように構成される。無線測定では、たとえば、以下の測定対象のうち、１つ以上を参照することができる。たとえば、３ＧＰＰ  ＴＳ  ３６．２１４  ｖ１０．１．０（非特許文献８）、Ｃｈａｐｔｅｒ  ５で定義される、ＲＳＲＰ（Ｒｅｆｅｒｅｎｃｅ  Ｓｉｇｎａｌ  Ｒｅｃｅｉｖｅｄ  Ｐｏｗｅｒ）、ＲＳＲＱ（Ｒｅｆｅｒｅｎｃｅ  Ｓｉｇｎａｌ  Ｒｅｃｅｉｖｅｄ  Ｑｕａｌｉｔｙ）、チャネル品質、など。さらには現在のＢＬＥＲ（Ｂｌｏｃｋ  Ｅｒｒｏｒ  Ｒａｔｅ）推定やＨＡＲＱ動作点、およびこれら以外の好適な測定対象が参照され得る。いずれの場合も、ＣＥ対応ＵＥの現在の無線状態を判断し、続くステップにおいてカバレッジ拡張が実際に不可欠か否かを決定する方法は、当業者にはよく知られているものである。
【０１８２】
適切な無線測定の実行後、ＣＥ対応ＵＥは、その測定の結果に基づき、カバレッジ拡張が必要かどうかを判断することになる。一実施例では、２つの適切な閾値が定義され得る。ＣＥ対応ＵＥは、これらの閾値と測定結果を比較することにより、自身の現在のＣＥステータスを判断する。たとえば、上方閾値を定義することが可能であり、その場合、測定結果（たとえば、ＲＳＲＰまたはＲＳＲＱ）がこの上方閾値を超過するのであれば、ＣＥ対応ＵＥは、カバレッジ拡張は不要、すなわち、自身は現在のところ非ＣＥ−ＵＥであると判断することになる。反対に、それとは異なる下方閾値を定義することも可能であり、その場合、測定結果（たとえば、やはりＲＳＲＰまたはＲＳＲＱ）がこの下方閾値を下回るのであれば、ＣＥ対応ＵＥは、カバレッジ拡張が必要、すなわち、自身は現在のところＣＥ−ＵＥであると結論付けることになる。２つの閾値を用いる代わりに、単純に１つの閾値を用いて、ＣＥが必要か否かの判断を下すことも当然可能であり、その場合、測定結果が閾値を上回ればカバレッジ拡張は不要、測定結果が閾値を下回ればカバレッジ拡張が必要、ということを意味することになる。同様の技術は、ＨＡＲＱ動作点に対してなど、他の測定可能対象に対して使用することもできる。すなわち、ＨＡＲＱ動作点が対応するＨＡＲＱ動作点閾値を上回ればカバレッジ拡張は不要、ＨＡＲＱ動作点がＨＡＲＱ動作点閾値を下回ればカバレッジ拡張が必要、ということを意味することになる。
【０１８３】
無線測定およびＣＥステータス判断は、ＣＥ対応ＵＥによって、定期的に（すなわち、事前構成した指定の間隔で）実行することが可能であり、かつ／または、たとえばイベントトリガされる（イベントは、上記のような、どちらかの方面で閾値を超えるといったものでもよい）ことも可能である（ｅＮＢと共同で、またはｅＮＢによってトリガされる）。測定に対応した絶対閾値に加え、ネットワークは、３ＧＰＰ  ＴＳ  ３６．３３１（現在のバージョンは１２．４．１）に記述される、対応したヒステリシス（Ｈｙｓｔｅｒｅｓｉｓ）およびタイムツートリガ（Ｔｉｍｅ  ｔｏ  Ｔｒｉｇｇｅｒ）値を提供することもできる。基本的に、ヒステリシスは、閾値の突破に対して双方向にマージンや許容差を与えるものであり、ＴＴＴ（Ｔｉｍｅ  ｔｏ  Ｔｒｉｇｇｅｒ）は、少なくともどれだけの時間、前記閾値が突破／超過された状態に留まってから、ＵＥが対応するイベントをトリガすべきかを示すものである。
【０１８４】
どの無線測定が、どのような間隔で実行されても、測定結果は閾値と比較されるべきであり、また、その他の必要な情報は、ＣＥ対応ＵＥ内に事前構成するか、またはｅＮＢからＣＥ対応ＵＥへと（たとえば、ＲＲＣ、レイヤ２（ＭＡＣ）、またはレイヤ１（物理層信号）によってシグナルすることが可能な対応する制御メッセージに含み入れて）提供することが可能であり、この情報には、ヒステリシス、ＴＴＴ、および現在／サービングおよび隣接セルのリストのようなターゲットオブジェクトを含む、追加のパラメータが含まれてよい。
【０１８５】
ＣＥ対応ＵＥは、ｅＮＢが確実に現在のＣＥステータス（すなわち、ＣＥ対応ＵＥにカバレッジ拡張が必要か否か）を最新に保つようにする必要がある。このことは、たとえば、ページング時にカバレッジ拡張技術をページングに適用するか否かをｅＮＢが把握しているように、ＣＥステータスが変更されるたびにｅＮＢに報告することによって行われ得る。当然ながら、同じ情報はページング以外のＤＬメッセージのために使用可能であり、ページング応答や他のページングとは無関係のメッセージを含むＵＬメッセージに対しても使用可能である。ＣＥ対応ＵＥがアイドルモードと接続モードのどちらであるかに応じて、ｅＮＢに対するＣＥステータスの報告は違ったものとなり得る。ＣＥ対応ＵＥは、自身がＲＲＣ接続状態であり、よってｅＮＢとの接続がアクティブである場合、ＣＥステータス報告（たとえば、ＲＲＣ  Ｍｅａｓｕｒｅｍｅｎｔ  Ｒｅｐｏｒｔ）を、同ｅＮＢに直接送信することができる。
【０１８６】
こうした直接的な報告は、ＣＥ対応ＵＥがＲＲＣ−ＩＤＬＥであると（ｅＮＢとの間でアクティブな接続が利用不可であることから）不可能であるため、アイドル中のＣＥ対応ＵＥは、ＭＭＥに対してＣＥステータスを報告することになる。それにより、このＭＭＥは、カバレッジ拡張が実際に必要か否かを把握する（ＵＥのＣＥ能力とは無関係である）。ＭＭＥは、この点に関してｅＮＢを恒常的に最新に保つことが可能であるが、ページングに向けたｅＮＢのトリガ時に、対応する情報をｅＮＢに提供するだけでも構わない。当然ながら、ＲＲＣ接続中のＣＥ対応ＵＥも、ｅＮＢの代わりに、またはｅＮＢに加えて、ＭＭＥに対して通知を行うことが可能である。
【０１８７】
別の代替形態では、アイドル中のＣＥ対応ＵＥは、たとえば、セルの選択および再選択したとき、自身が現在キャンプオンしているサービングｅＮＢに対し、ＣＥステータスおよびＵＥ  ＮＡＳ識別情報を直接報告することになる。それにより、同サービングｅＮＢは、そのＵＥ  ＮＡＳ識別情報およびＣＥ要件が含まれた新たな表を保持することで、カバレッジ拡張が実際に必要か否かを把握する。
【０１８８】
あるいは、もう１つの改良点によって、ＣＥ対応ＵＥが常に測定報告を直接ｅＮＢへと送信できるように、同ＣＥ対応ＵＥがＲＲＣアイドル状態には変わらず、常にＲＲＣ接続状態を維持するように規定される。ｅＮＢは、ＲＲＣ接続解放メッセージをＵＥに送信しない（すなわち、そのＵＥに関するｅＮＢ内のあらゆる無通信タイマ（ｉｎａｃｔｉｖｉｔｙ  ｔｉｍｅｒ）を基本的に無視する）ことにより、同ＵＥの接続状態を確実に維持することができる。
【０１８９】
どのような場合でも、ｅＮＢは、特定のＣＥ対応ＵＥをページングするためにトリガされたとき、前記ＣＥ対応ＵＥが実際にカバレッジ拡張を必要としているか否かについて通知され、かつ検討することになる。このようにして把握されたＵＥの現在のＣＥステータスに基づき、ＣＥ対応ＵＥのページングに対し、ｅＮＢが適切なＣＥ技術を適用するか否かが決まる。第１の実施形態に関して既に詳述したように、ページングにＣＥ技術を適用するには、ＰＤＣＣＨ上で送信されたページング通知と、ＰＤＣＣＨによってアドレス指定されたＰＤＳＣＨ上で送信された実際のページングメッセージとの両方に対し、ＣＥ技術を適用する必要がある。
【０１９０】
換言すれば、２つの測定イベントが定義される。片方は、無線測定によってカバレッジ拡張が必要と示される場合のことであり、もう片方は、無線測定によってカバレッジ拡張は不要であると示される場合のことである。２つのイベントのいずれかが発生したとき、そのことがｅＮＢへと（直接的に、またはＭＭＥなどのコアネットワークエンティティを介して）報告される。
【０１９１】
図８は、第２の実施形態による、例示的ページング手順に関するメッセージシーケンス図である。図から見て取れるように、ｅＮＢからＵＥに測定制御メッセージが提供されている。測定制御メッセージには、無線測定の実行と、その測定の結果に基づくＣＥステータス判断とを行うようにＵＥを構成するのに必要なすべての情報が含まれることが前提となる。図８には、ＵＥからｅＮＢへの測定報告メッセージも示されており、これはＵＥのＣＥステータスをｅＮＢが更新できるように、ｅＮＢに向けて送信されるものである。その結果、ｅＮＢは、ＵＥのＣＥステータスに応じて、ＣＥ技術を使って、または使わずに、ＵＥのページングを実行することが可能となる。
【０１９２】
図９は、上で説明した特定の例示的な第２の実施形態のためのＣＥ対応ＵＥに関する、簡略化したシーケンス処理図である。この図では、測定および報告手順が、ページング監視手順と並行して描かれている。
【０１９３】
図１０は、上で説明した、ｅＮＢに関する簡略化したシーケンス処理図であり、この図には、ＵＥのＣＥステータスについての受信および更新手順と、そのＣＥステータスに依存した並行ページング手順とが含まれている。
【０１９４】
図８はさらに、任意選択のＵＥの初期カバレッジ拡張ステータスの決定も示している。この決定は、ＵＥからｅＮＢへの初期アクセス後に直接行うことが可能である（破線の囲い枠を参照されたい）。具体的にいえば、ＵＥは通常、セル（および対応するｅＮＢ）への初期アタッチ時に、たとえば適切なプリアンブルやアクセススロットなどの選択を伴う、ＲＡＣＨ手順を実行する。ＣＥ対応ＵＥは、初期アクセスの間、ＲＡＣＨリソース（たとえば、プリアンブルやアクセススロットなど）を適切に選択するために、自身のＣＥステータスを決定する。このとき、ｅＮＢは、ＵＥがＲＡＣＨ手順を実行するために選択した、プリアンブル、プリアンブルフォーマット、さらには物理リソースのようなパラメータに基づき、ＵＥの無線状態、したがってＵＥのＣＥステータスを推定することが可能となる。
【０１９５】
第２の実施形態の持つ１つの改良点が、同じく図８において破線矢印を用いて示される、測定報告の受信の成功と（すなわち、ＣＥステータスの更新）、（ＣＥと非ＣＥの間の）切り替えがネットワーク側に成功裏に適用され、よってＵＥも新たに切り替えられた状態に従って切り替えと送受信をすべきであるという確認とに関する、ｅＮＢからＵＥへと送信されるフィードバックメッセージである。たとえば、現在のＣＥステータスに関する情報を返送することにより、ｅＮＢは、ＣＥ対応ＵＥとｅＮＢがＣＥステータスを同様に理解し、同じ方法に従ってふるまうことを補償することができる。たとえば、測定報告が失われた場合、またはｅＮＢにおいて不正に復号された場合、ｅＮＢはＣＥステータスを変更せず、ＵＥとｅＮＢが持つＣＥステータスが（たとえば、次の測定報告がｅＮＢによって正しく受信されるまで）異なることになる。また、測定報告の受信に成功したとしても、そのことが、受付制御などの理由から、またはｅＮＢ側での独立した切り替え評価に関して、ｅＮＢがその切り替えで問題ないということを保証するものではない。この点に関し、測定イベントのトリガリングは、ｅＮＢがＣＥステータスの前記切り替えについて決定するための入力パラメータのうちの１つにすぎず、ｅＮＢは、セルおよびシステム固有の検討に基づいて最終決定を下すことができる。測定報告の受信の成功と（ＣＥと非ＣＥの間の）切り替えがネットワーク側で成功裏に適用されたことの確認とに関する、ｅＮＢからＵＥへと送信されるフィードバックメッセージがない場合、ＣＥステータスが異なることにより、無線リソースの浪費、またはＣＥステータスの更新成功に関するフィードバックを提供することで回避されるページングの失敗につながり得るのは明白である。
【０１９６】
第２の実施形態が持つさらなる改良点もまた図８に示されている。破線矢印が示すように、ＵＥはＣＥページングが成功した場合、直ちにｅＮＢに通知することができる。特に、ＣＥページングが成功裏に受信され次第（たとえば、実際のページングメッセージが上位レイヤに対して成功裏に復号／配信された、など）、たとえばＣＥページングの繰り返しをすべて受信するまで待機する代わりに、ＣＥ対応ＵＥはそのことをｅＮＢに通知する。ｅＮＢはコアネットワーク内のＭＭＥに通知を行うことが可能であり、次いで、ＭＭＥは、対応するＴＡリストに属するすべての追跡エリア（図８に図示せず）の他のｅＮＢにおいてページングを中止することができる。したがって、無線リソースが他のｅＮＢによって浪費されることはない。
【０１９７】
実施形態３
第３の実施形態によれば、ＣＥデバイスがＮＡＳレベルとＡＳレベルの両方でページング可能となるように（すなわち、ＮＡＳによって開始され、かつｅＮＢによっても開始される）、第１の実施形態および第２の実施形態が組み合わされる。よって、レガシのシステムのように、ＮＡＳとＡＳは分離されたままとなる。さらに、第１および第２の実施形態は実装が簡単であり、レガシの手順に影響を与えない。
【０１９８】
本開示のハードウェアおよびソフトウェア実装
他の例示的実施形態は、ハードウェアおよびソフトウェアを用いる、上述した種々の実施形態の実装に関する。これに関連して、ユーザ端末（移動端末）およびｅＮｏｄｅＢ（基地局）について規定する。ユーザ端末および基地局は、本明細書で記述した方法を実行するように構成されており、受信機、送信機、プロセッサなど、その方法に適切に関与する対応した実体を含んでいる。
【０１９９】
種々の実施形態は、コンピューティングデバイス（プロセッサ）を用いて実装または実行可能であることがさらに認識される。コンピューティングデバイスまたはプロセッサは、たとえば、汎用プロセッサ、ＤＳＰ（デジタル信号プロセッサ）、ＡＳＩＣ（特定用途向け集積回路）、ＦＰＧＡ（フィールドプログラマブルゲートアレイ）、または他のプログラマブルロジックデバイスなどとすることができる。種々の実施形態は、これらのデバイスの組み合わせによって実行または実施することもできる。
【０２００】
さらに、種々の実施形態は、プロセッサによって実行されるソフトウェアモジュールを用いて、またはハードウェア内で直接的に実装され得る。また、ソフトウェアモジュールとハードウェア実装の組み合わせも可能である。ソフトウェアモジュールは、たとえば、ＲＡＭ、ＥＰＲＯＭ、ＥＥＰＲＯＭ、フラッシュメモリ、レジスタ、ハードディスク、ＣＤ−ＲＯＭ、ＤＶＤなど、任意の種類のコンピュータ可読記憶媒体に記憶することができる。
【０２０１】
異なる実施形態が持つ個々の特徴は、それぞれ独自に、または任意の組み合わせで、他の実施形態を対象とし得ることをさらに留意されたい。
【０２０２】
当業者であれば、多数の変形および／または修正が、具体的な実施形態によって示した本開示に対してなされ得ることを理解されよう。したがって、記載の実施形態は、あらゆる点において、例示的かつ非限定的とみなすべきものである。
【図１】
0006650454.tif 000005
【図２】
0006650454.tif 000006
【図３】
0006650454.tif 000007
【図４】
0006650454.tif 000008
【図５】
0006650454.tif 000009
【図６】
0006650454.tif 000010
【図７】
0006650454.tif 000011
【図８】
0006650454.tif 000012
【図９】
0006650454.tif 000013
【図１０】
0006650454.tif 000014